(57)【特許請求の範囲】
【請求項１】
第１硬貨用精算処理機及び第１紙幣用精算処理機を備えた第１精算処理機と、
第２硬貨用精算処理機及び第２紙幣用精算処理機を備えた第２精算処理機と、
を備え、
前記第１精算処理機及び前記第２精算処理機の設置面に垂直な方向から見た場合、前記第１精算処理機及び前記第２精算処理機の少なくとも一部が重なっており、
前記第１精算処理機及び前記第２精算処理機が搭載された架台は、前記第１精算処理機及び前記第２精算処理機の設置面に垂直な方向から見た場合に互いに異なる方向を向いている第１面及び第２面を有し、
前記第１精算処理機は、前記第１面に設けられており、
前記第２精算処理機は、前記第２面に設けられており、
前記第１精算処理機は、硬貨が投入可能である第１硬貨投入口を有し、
前記第２精算処理機は、前記硬貨が投入可能である第２硬貨投入口を有し、
前記第１精算処理機及び前記第２精算処理機の設置面に垂直な方向から見た場合、前記第１硬貨投入口と前記第２硬貨投入口とは互いにずれて配置されている精算装置。
【請求項２】
第１硬貨用精算処理機及び第１紙幣用精算処理機を備えた第１精算処理機と、
第２硬貨用精算処理機及び第２紙幣用精算処理機を備えた第２精算処理機と、
を備え、
前記第１精算処理機及び前記第２精算処理機の設置面に垂直な方向から見た場合、前記第１精算処理機及び前記第２精算処理機の少なくとも一部が重なっており、
前記第１精算処理機及び前記第２精算処理機が搭載された架台は、前記第１精算処理機及び前記第２精算処理機の設置面に垂直な方向から見た場合に互いに異なる方向を向いている第１面及び第２面を有し、
前記第１精算処理機は、前記第１面に設けられており、
前記第２精算処理機は、前記第２面に設けられており、
前記第１精算処理機は、紙幣が投入可能である第１紙幣投入口を有し、
前記第２精算処理機は、前記紙幣が投入可能である第２紙幣投入口を有し、
前記第１精算処理機及び前記第２精算処理機の設置面に垂直な方向から見た場合、前記第１紙幣投入口と前記第２紙幣投入口とは互いにずれて配置されている精算装置。
【請求項３】
第１硬貨用精算処理機及び第１紙幣用精算処理機を備えた第１精算処理機と、
第２硬貨用精算処理機及び第２紙幣用精算処理機を備えた第２精算処理機と、
を備え、
前記第１精算処理機及び前記第２精算処理機の設置面に垂直な方向から見た場合、前記第１精算処理機及び前記第２精算処理機の少なくとも一部が重なっており、
前記第１精算処理機及び前記第２精算処理機が搭載された架台は、前記第１精算処理機及び前記第２精算処理機の設置面に垂直な方向から見た場合に互いに異なる方向を向いている第１面及び第２面を有し、
前記第１精算処理機は、前記第１面に設けられており、
前記第２精算処理機は、前記第２面に設けられており、
前記第１精算処理機は、硬貨及び紙幣の双方が投入可能である第１貨幣投入口を有し、
前記第２精算処理機は、前記硬貨及び前記紙幣の双方が投入可能である第２貨幣投入口を有し、
前記第１精算処理機及び前記第２精算処理機の設置面に垂直な方向から見た場合、前記第１貨幣投入口と前記第２貨幣投入口とは互いにずれて配置されている精算装置。
【請求項４】
第１硬貨用精算処理機及び第１紙幣用精算処理機を備えた第１精算処理機と、
第２硬貨用精算処理機及び第２紙幣用精算処理機を備えた第２精算処理機と、
を備え、
前記第１精算処理機及び前記第２精算処理機の設置面に垂直な方向から見た場合、前記第１精算処理機及び前記第２精算処理機の少なくとも一部が重なっており、
前記第１精算処理機及び前記第２精算処理機が取り付けられた架台は、前記第１精算処理機及び前記第２精算処理機の設置面に垂直な方向から見た場合に湾曲している第１面を有し、
前記第１精算処理機は、前記第１面に設けられており、
前記第２精算処理機は、前記第１面のうち前記第１精算処理機が設けられている領域とは異なる領域に設けられている精算装置。
【請求項５】
請求項４に記載の精算装置において、
前記第１精算処理機は、硬貨が投入可能である第１硬貨投入口を有し、
前記第２精算処理機は、前記硬貨が投入可能である第２硬貨投入口を有し、
前記第１精算処理機及び前記第２精算処理機の設置面に垂直な方向から見た場合、前記第１硬貨投入口と前記第２硬貨投入口とは互いにずれて配置されている精算装置。
【請求項６】
請求項４に記載の精算装置において、
前記第１精算処理機は、紙幣が投入可能である第１紙幣投入口を有し、
前記第２精算処理機は、前記紙幣が投入可能である第２紙幣投入口を有し、
前記第１精算処理機及び前記第２精算処理機の設置面に垂直な方向から見た場合、前記第１紙幣投入口と前記第２紙幣投入口とは互いにずれて配置されている精算装置。
【請求項７】
請求項４に記載の精算装置において、
前記第１精算処理機は、硬貨及び紙幣の双方が投入可能である第１貨幣投入口を有し、
前記第２精算処理機は、前記硬貨及び前記紙幣の双方が投入可能である第２貨幣投入口を有し、
前記第１精算処理機及び前記第２精算処理機の設置面に垂直な方向から見た場合、前記第１貨幣投入口と前記第２貨幣投入口とは互いにずれて配置されている精算装置。
【請求項８】
請求項１〜７のいずれか一項に記載の精算装置において、
前記第１精算処理機及び前記第２精算処理機は、前記第１精算処理機及び前記第２精算処理機の設置面に垂直な方向から見た場合、ずれて配置されている精算装置。
【請求項９】
請求項１〜８のいずれか一項に記載の精算装置において、
前記第１精算処理機及び前記第２精算処理機の設置面に垂直な方向から見た場合、前記第１精算処理機及び前記第２精算処理機の一方の全体は、他方と重なっている精算装置。
【請求項１０】
請求項１〜９のいずれか一項に記載の精算装置において、
前記第１精算処理機及び前記第２精算処理機の設置面に垂直な方向から見た場合、前記第１硬貨用精算処理機及び前記第１紙幣用精算処理機の一方の少なくとも一部は、他方と少なくとも一部が重なっている精算装置。
【請求項１１】
請求項１〜９のいずれか一項に記載の精算装置において、
前記第１精算処理機及び前記第２精算処理機の設置面に垂直な方向において、前記第１硬貨用精算処理機及び前記第１紙幣用精算処理機の一方の下面は、他方の上面以下かつ前記他方の下面以上に位置する精算装置。
【請求項１２】
請求項１１に記載の精算装置において、
前記第１硬貨用精算処理機及び前記第１紙幣用精算処理機の一方の上面と前記他方の上面とは、互いに揃っており、
前記第１硬貨用精算処理機及び前記第１紙幣用精算処理機の前記一方の下面と前記他方の下面とは、互いに揃っている精算装置。
【請求項１３】
請求項１〜９のいずれか一項に記載の精算装置において、
前記第１精算処理機及び前記第２精算処理機の設置面に垂直な方向から見た場合、前記第１硬貨用精算処理機及び前記第１紙幣用精算処理機の一方は、いずれの部分も他方と重なっておらず、
前記第１精算処理機及び前記第２精算処理機の設置面に垂直な方向において、前記第１硬貨用精算処理機及び前記第１紙幣用精算処理機の前記一方の下面は、前記他方の上面より上に位置する精算装置。
【請求項１４】
請求項１〜９のいずれか一項に記載の精算装置において、
前記第１硬貨用精算処理機と前記第１紙幣用精算処理機とは、互いに異なる方向を向いている精算装置。
【発明の詳細な説明】
【技術分野】
【０００１】
本発明は、精算装置に関する。
【背景技術】
【０００２】
店舗で買い物を行う来店客（以下、購買者）が購買する商品（以下、購買商品）の精算処理は、店舗内に設置されたレジを用いて行うことが一般的である。
【０００３】
近年では、購買商品の登録処理は店員が商品登録装置を用いて行い、登録済みの購買商品の精算処理は、購買者が所謂セミセルフレジを用いて行うという販売形態も存在する（特許文献１を参照）。
【０００４】
なお、特許文献２、３には、釣銭装置について記載されている。
【先行技術文献】
【特許文献】
【０００５】
【特許文献１】特開２０１３−２１８４３７号公報
【特許文献２】特開２０１０−１４０１４２号公報
【特許文献３】特開２０１２−１６４２８２号公報
【発明の概要】
【発明が解決しようとする課題】
【０００６】
ところで、多数の購買者の精算処理をスムーズに行うためには、セミセルフレジやレジといった精算処理装置を店舗内になるべく多く設置し、なるべく多くの精算処理を並行して行うことができるようにすることが望まれる。
しかし、店舗内のスペースは限られているため、設置可能な精算処理装置の台数には制約がある。
【０００７】
本発明の目的は、限られた設置スペースでより多くの精算処理を並行して行うことを可能とする精算装置を提供することにある。
【課題を解決するための手段】
【０００８】
本発明は、
第１硬貨用精算処理機及び第１紙幣用精算処理機を備えた第１精算処理機と、
第２硬貨用精算処理機及び第２紙幣用精算処理機を備えた第２精算処理機と、
を備え、
前記第１精算処理機及び前記第２精算処理機の設置面に垂直な方向から見た場合、前記第１精算処理機及び前記第２精算処理機の少なくとも一部が重なっており、
前記第１精算処理機及び前記第２精算処理機が搭載された架台は、前記第１精算処理機及び前記第２精算処理機の設置面に垂直な方向から見た場合に互いに異なる方向を向いている第１面及び第２面を有し、
前記第１精算処理機は、前記第１面に設けられており、
前記第２精算処理機は、前記第２面に設けられており、
前記第１精算処理機は、硬貨が投入可能である第１硬貨投入口を有し、
前記第２精算処理機は、前記硬貨が投入可能である第２硬貨投入口を有し、
前記第１精算処理機及び前記第２精算処理機の設置面に垂直な方向から見た場合、前記第１硬貨投入口と前記第２硬貨投入口とは互いにずれて配置されている精算装置を提供する。
本発明は、
第１硬貨用精算処理機及び第１紙幣用精算処理機を備えた第１精算処理機と、
第２硬貨用精算処理機及び第２紙幣用精算処理機を備えた第２精算処理機と、
を備え、
前記第１精算処理機及び前記第２精算処理機の設置面に垂直な方向から見た場合、前記第１精算処理機及び前記第２精算処理機の少なくとも一部が重なっており、
前記第１精算処理機及び前記第２精算処理機が搭載された架台は、前記第１精算処理機及び前記第２精算処理機の設置面に垂直な方向から見た場合に互いに異なる方向を向いている第１面及び第２面を有し、
前記第１精算処理機は、前記第１面に設けられており、
前記第２精算処理機は、前記第２面に設けられており、
前記第１精算処理機は、紙幣が投入可能である第１紙幣投入口を有し、
前記第２精算処理機は、前記紙幣が投入可能である第２紙幣投入口を有し、
前記第１精算処理機及び前記第２精算処理機の設置面に垂直な方向から見た場合、前記第１紙幣投入口と前記第２紙幣投入口とは互いにずれて配置されている精算装置を提供する。
本発明は、
第１硬貨用精算処理機及び第１紙幣用精算処理機を備えた第１精算処理機と、
第２硬貨用精算処理機及び第２紙幣用精算処理機を備えた第２精算処理機と、
を備え、
前記第１精算処理機及び前記第２精算処理機の設置面に垂直な方向から見た場合、前記第１精算処理機及び前記第２精算処理機の少なくとも一部が重なっており、
前記第１精算処理機及び前記第２精算処理機が搭載された架台は、前記第１精算処理機及び前記第２精算処理機の設置面に垂直な方向から見た場合に互いに異なる方向を向いている第１面及び第２面を有し、
前記第１精算処理機は、前記第１面に設けられており、
前記第２精算処理機は、前記第２面に設けられており、
前記第１精算処理機は、硬貨及び紙幣の双方が投入可能である第１貨幣投入口を有し、
前記第２精算処理機は、前記硬貨及び前記紙幣の双方が投入可能である第２貨幣投入口を有し、
前記第１精算処理機及び前記第２精算処理機の設置面に垂直な方向から見た場合、前記第１貨幣投入口と前記第２貨幣投入口とは互いにずれて配置されている精算装置を提供する。
本発明は、
第１硬貨用精算処理機及び第１紙幣用精算処理機を備えた第１精算処理機と、
第２硬貨用精算処理機及び第２紙幣用精算処理機を備えた第２精算処理機と、
を備え、
前記第１精算処理機及び前記第２精算処理機の設置面に垂直な方向から見た場合、前記第１精算処理機及び前記第２精算処理機の少なくとも一部が重なっており、
前記第１精算処理機及び前記第２精算処理機が取り付けられた架台は、前記第１精算処理機及び前記第２精算処理機の設置面に垂直な方向から見た場合に湾曲している第１面を有し、
前記第１精算処理機は、前記第１面に設けられており、
前記第２精算処理機は、前記第１面のうち前記第１精算処理機が設けられている領域とは異なる領域に設けられている精算装置を提供する。
【発明の効果】
【０００９】
本発明によれば、限られた設置スペースでより多くの精算処理を並行して行うことが可能となる。
また、限られた設置スペースでより多くの精算処理を並行して行うことを可能とする精算装置を容易に構築することができる。
【図面の簡単な説明】
【００１０】
【図１】第１の実施形態に係る精算装置の斜視図である。
【図２】図１の矢印Ａ方向から見た精算装置の側面図である。
【図３】図１の矢印Ｂ方向から見た精算装置の側面図である。
【図４】図１の矢印Ｃ方向から見た精算装置の側面図である。
【図５】図１の矢印Ｄ方向から見た精算装置の側面図である。
【図６】第１の実施形態に係る精算装置の平面図である。
【図７】第１の実施形態に係る精算装置における第１精算処理機及び第２精算処理機の配置を示す模式的な斜視図である。
【図８】第１の実施形態に係る精算装置用の架台の斜視図である。
【図９】第１の実施形態に係る精算装置の使用例を説明するための模式的な平面図である。
【図１０】第２の実施形態に係る精算装置を手前側から見た斜視図である。
【図１１】第２の実施形態に係る精算装置を奧側から見た斜視図である。
【図１２】第２の実施形態に係る精算装置における第１精算処理機及び第２精算処理機の配置を示す模式的な斜視図である。
【図１３】第２の実施形態に係る精算装置用の架台の斜視図である。
【図１４】第４の実施形態に係る精算装置の一例を示す図である。
【図１５】図１４の変形例を示す図である。
【図１６】第５の実施形態に係る精算装置に用いられる第１精算処理機の構成の詳細の一例を示す図である。
【図１７】図１６の第１の変形例を示す図である。
【図１８】図１６の第２の変形例を示す図である。
【図１９】図１６の第３の変形例を示す図である。
【図２０】図１６の第４の変形例を示す図である。
【図２１】図１６の第５の変形例を示す図である。
【図２２】図１６の第６の変形例を示す図である。
【図２３】図１６の第７の変形例を示す図である。
【図２４】図１６の第８の変形例を示す図である。
【図２５】図１６の第９の変形例を示す図である。
【図２６】図１６の第１０の変形例を示す図である。
【図２７】図１６の第１１の変形例を示す図である。
【図２８】図１６の第１２の変形例を示す図である。
【図２９】図１６の第１３の変形例を示す図である。
【図３０】図１６の第１４の変形例を示す図である。
【図３１】第６の実施形態に係る精算装置に用いられる第１精算処理機の構成の第１例を示す図である。
【図３２】第１精算処理機の構成の第２例を示す図である。
【図３３】第１精算処理機の構成の第３例を示す図である。
【図３４】第１精算処理機の構成の第４例を示す図である。
【図３５】第１精算処理機の構成の第５例を示す図である。
【図３６】第１精算処理機の構成の第６例を示す図である。
【図３７】第１精算処理機の構成の第７例を示す図である。
【図３８】第１精算処理機の構成の第８例を示す図である。
【図３９】第１精算処理機の構成の第９例を示す図である。
【図４０】第１精算処理機の構成の第１０例を示す図である。
【図４１】第１精算処理機の構成の第１１例を示す図である。
【図４２】第１精算処理機の構成の第１２例を示す図である。
【図４３】第１精算処理機の構成の第１３例を示す図である。
【図４４】第７の実施形態に係る精算装置に用いられる第１精算処理機の構成の詳細の一例を示す図である。
【図４５】第８の実施形態に係る精算装置に用いられる第１精算処理機及び第２精算処理機の配置の一例を示す図である。
【図４６】図４５の第１の変形例を示す図である。
【図４７】図４５の第２の変形例を示す図である。
【図４８】第９の実施形態に係る精算装置の構成を示す図である。
【図４９】図４８の第１の変形例を示す図である。
【図５０】図４８の第２の変形例を示す図である。
【図５１】図４８の第３の変形例を示す図である。
【図５２】第１０の実施形態に精算装置に用いられる複数の第１精算処理機（第２精算処理機）のレイアウトの一例を示す図である。
【図５３】第１１の実施形態に係る精算装置に用いられる第１精算処理機及び第２精算処理機のレイアウトの第１例を示す図である。
【図５４】第１精算処理機及び第２精算処理機のレイアウトの第２例を示す図である。
【図５５】第１２の実施形態に係る第１精算処理機の構成の第１例を示す図である。
【図５６】第１精算処理機の構成の第２例を示す図である。
【図５７】第１３の実施形態に係る精算装置の斜視図である。
【図５８】第１４の実施形態に係る精算装置に用いられる第１精算処理機及び第２精算処理機のレイアウトを示す図である。
【図５９】図５８の第１の変形例を示す図である。
【図６０】図５８の第２の変形例を示す図である。
【図６１】図５８の第３の変形例を示す図である。
【図６２】図５８の第４の変形例を示す図である。
【図６３】図５８の第５の変形例を示す図である。
【発明を実施するための形態】
【００１１】
以下、本発明の実施形態について、図面を用いて説明する。なお、すべての図面において、同様の構成要素には同一の符号を付し、適宜に説明を省略する。
【００１２】
〔第１の実施形態〕
図１は第１の実施形態に係る精算装置１０００の斜視図である。
図２は図１の矢印Ａ方向から見た精算装置１０００の側面図である。
図３は図１の矢印Ｂ方向から見た精算装置１０００の側面図である。
図４は図１の矢印Ｃ方向から見た精算装置１０００の側面図である。
図５は図１の矢印Ｄ方向から見た精算装置１０００の側面図である。
図６は第１の実施形態に係る精算装置１０００の平面図である。
図７は第１の実施形態に係る精算装置１０００における第１精算処理機１００及び第２精算処理機２００の配置を示す模式的な斜視図である。
図８は第１の実施形態に係る精算装置用の架台５００の斜視図である。
図９は第１の実施形態に係る精算装置１０００の使用例を説明するための模式的平面図である。
【００１３】
本実施形態に係る精算装置（精算処理ユニット集合体）１０００は、それぞれユーザインターフェース部３００を一側部に備える第１精算処理機（第１精算処理ユニット）１００及び第２精算処理機（第２精算処理ユニット）２００を有する。
第１精算処理機１００と第２精算処理機２００とが平面視において重複するように、第２精算処理機２００の上方に第１精算処理機１００が配置されている。換言すれば、第１精算処理機１００と第２精算処理機２００とは互いに段違いに配置され、且つ、第２精算処理機２００の上に第１精算処理機１００が重ねて配置されている。
更に、第１精算処理機１００のユーザインターフェース部３００（以下、第１ユーザインターフェース部３００Ａと称する場合がある）と第２精算処理機２００のユーザインターフェース部３００（以下、第２ユーザインターフェース部３００Ｂと称する場合がある）とが精算装置１０００の互いに異なる側面に配置されている。
【００１４】
精算装置１０００は、例えば、第１精算処理機１００と第２精算処理機２００とが搭載された架台５００を備える。
架台５００は、筐体であっても良いし、棚であっても良い。本実施形態では、架台５００は、筐体であるものとする。
架台５００の各側面は、精算装置１０００の各側面でもある。
本実施形態の場合、第１ユーザインターフェース部３００Ａは架台５００の第１側面５１０に配置され、第２ユーザインターフェース部３００Ｂは架台５００の第２側面５２０に配置されている。
【００１５】
このため、第１精算処理機１００を使用する第１ユーザは、架台５００の第１側面５１０の前に位置して第１ユーザインターフェース部３００Ａを扱い、精算処理を行うことができる。また、それと並行して、第２精算処理機２００を使用する第２ユーザは、架台５００の第２側面５２０の前に位置して第２ユーザインターフェース部３００Ｂを扱い、精算処理を行うことができる。
つまり、１台の精算装置１０００があれば、第１ユーザの精算処理と第２ユーザの精算処理とを並行して行うことが可能となる。
よって、複数の精算処理をスムーズに行うことができる。
【００１６】
以下、詳細に説明する。
【００１７】
精算装置１０００は、例えば、購買者による購買商品の精算処理を当該購買者が行うためのセミセルフレジ（セミセルフレジスター装置）、又は、購買者による購買商品の精算処理を店員が行うためのレジ（レジスター装置）であることが挙げられる。
精算装置１０００がセミセルフレジの場合、第１精算処理機１００及び第２精算処理機２００の各々は、購買者による購買商品の精算処理を当該購買者が行うための精算処理機（自動精算処理機）である。精算処理機は精算処理ユニットまたは釣銭ユニットとも呼ぶ。
一方、精算装置１０００がレジの場合、第１精算処理機１００及び第２精算処理機２００の各々は、購買者による購買商品の精算処理を店員が行うためのドロアである。
本実施形態では、精算装置１０００がセミセルフレジであるものとして、以下の説明を行う。
【００１８】
ユーザインターフェース部３００とは、精算処理のために第１精算処理機１００及び第２精算処理機２００を扱うユーザが、例えば、現金の入金、お釣りの受け取り、支払い用のカード（クレジットカード、デビットカード等）の挿入、或いは、カードの暗証番号の入力等の、各種の処理を行う部分である。
【００１９】
図１乃至図５に示すように、架台５００は、例えば、第１側面５１０と、第２側面５２０と、第３側面５３０と、第４側面５４０と、の４つの側面を有する。
第１側面５１０と第２側面５２０とは相互に直交している。
第３側面５３０は、第１側面５１０とは反対向きの側面である。
第４側面５４０は、第２側面５２０とは反対向きの側面である。従って、第４側面５４０は、第１側面５１０に対して直交している。
より詳しくは、架台５００の側面は、更に、第１側面５１０と第２側面５２０との間の角部を面取りしてなる面取り面５６０を含んでいる。面取り面５６０は、例えば、第１側面５１０及び第２側面５２０に対して４５度の配置となっている。
各側面５１０、５２０、５３０、５４０及び面取り面５６０は、例えば、鉛直に起立している。
このため、架台５００は、例えば、平面視において、矩形の１つの角が斜めに切り欠かれた形状の五角形状に形成されている。
更に、架台５００は、上面５５０を有している。一例として、上面５５０は、水平且つ平坦に形成されている。
【００２０】
第１精算処理機１００のユーザインターフェース部３００である第１ユーザインターフェース部３００Ａは、第１側面５１０に配置されている。
一方、第２精算処理機２００のユーザインターフェース部３００である第２ユーザインターフェース部３００Ｂは、第２側面５２０に配置されている。
すなわち、本実施形態の場合、第１ユーザインターフェース部３００Ａと第２ユーザインターフェース部３００Ｂとは、互いに直交する第１側面５１０及び第２側面５２０にそれぞれ配置されている。
【００２１】
より具体的には、例えば、第１精算処理機１００における第１ユーザインターフェース部３００Ａ側の側面１１０と、架台５００において第１精算処理機１００の第１ユーザインターフェース部３００Ａが配置された側面である第１側面５１０と、が互いに面一となっている。
同様に、例えば、第２精算処理機２００における第２ユーザインターフェース部３００Ｂ側の側面２１０と、架台５００において第２精算処理機２００の第２ユーザインターフェース部３００Ｂが配置された側面である第２側面５２０と、が互いに面一となっている。
これにより、精算装置１０００における第１側面５１０側及び第２側面５２０側がすっきりした外観となっているとともに、店内を移動する人やカートなどが第１精算処理機１００及び第２精算処理機２００にぶつかってしまうことを抑制できる。
【００２２】
ここで、第１側面５１０において、第１精算処理機１００が配置されている部分および当該部分よりも上側の部分（以下、第１上側側面５１５）は、第１側面５１０における他の部分（下部）よりも奧（第３側面５３０側）に位置している。
このため、第１ユーザインターフェース部３００Ａの上面は、精算装置１０００の上面側に露出している。すなわち、第２ユーザインターフェース部３００Ｂの硬貨投入口３１１は、精算装置１０００の上面側に露出している。
【００２３】
同様に、第２側面５２０において、第２精算処理機２００が配置されている部分および当該部分よりも上側の部分（以下、第２上側側面５２５）は、第２側面５２０における他の部分（下部）よりも奧（第４側面５４０側）に位置している。
このため、第２ユーザインターフェース部３００Ｂの上面は、精算装置１０００の上面側に露出している。すなわち、第２ユーザインターフェース部３００Ｂの硬貨投入口３１１は、精算装置１０００の上面側に露出している。
【００２４】
第１精算処理機１００は、硬貨用精算処理機（硬貨用釣銭機）３１０Ａと紙幣用精算処理機（紙幣用釣銭機）３２０Ａとを有している。硬貨用精算処理機３１０Ａは第１硬貨用精算処理機であり、紙幣用精算処理機３２０Ａは第１紙幣用精算処理機である。
同様に、第２精算処理機２００は、硬貨用精算処理機（硬貨用釣銭機）３１０Ｂと紙幣用精算処理機（紙幣用釣銭機）３２０Ｂとを有している。硬貨用精算処理機３１０Ｂは第２硬貨用精算処理機であり、紙幣用精算処理機３２０Ｂは第２紙幣用精算処理機である。
【００２５】
硬貨用精算処理機３１０Ａ及び硬貨用精算処理機３１０Ｂの各々は、精算のために入金される硬貨を受け容れる硬貨投入口３１１と、硬貨投入口３１１に投入された硬貨のうち、傷、変形或いは認識エラー等のために金種判別できなかった硬貨が排出される硬貨リジェクト口３１２と、硬貨の釣銭が排出される硬貨出金口３１３と、を有する。
【００２６】
紙幣用精算処理機３２０Ａ及び紙幣用精算処理機３２０Ｂの各々は、紙幣の入金の受け容れと紙幣の釣銭（釣札ともいう）の排出とを行う紙幣入出金口３２１を有する。
【００２７】
硬貨用精算処理機３１０Ａと紙幣用精算処理機３２０Ａとは、互いに横並びに配置されている。
ここで、硬貨用精算処理機３１０Ａと紙幣用精算処理機３２０Ａとが互いに横並びに配置されているとは、硬貨用精算処理機３１０Ａと紙幣用精算処理機３２０Ａとが高さ方向で互いに重複（少なくとも一部分どうしが重複）した位置に配置されていることを意味する。
より好ましくは、硬貨用精算処理機３１０Ａ及び紙幣用精算処理機３２０Ａの上面どうしが互いに同じ高さに配置されていたり、硬貨用精算処理機３１０Ａ及び紙幣用精算処理機３２０Ａの下面どうしが互いに同じ高さに配置されていたりする。
本実施形態の場合、硬貨用精算処理機３１０Ａ及び紙幣用精算処理機３２０Ａの上面どうしが互いに同じ高さに配置されている。ただし、硬貨用精算処理機３１０Ａ及び紙幣用精算処理機３２０Ａの下面どうしは互いに異なる高さに配置されており、具体的には、例えば、硬貨用精算処理機３１０Ａの下面よりも紙幣用精算処理機３２０Ａの下面の方が高い位置に配置されている。
また、硬貨用精算処理機３１０Ａと紙幣用精算処理機３２０Ａとは、横方向において互いに隣接して配置されていることが好ましい。
具体的には、例えば、図１の矢印Ａ方向に第１精算処理機１００を見たとき、硬貨用精算処理機３１０Ａの右隣に紙幣用精算処理機３２０Ａが配置されている。
【００２８】
同様に、硬貨用精算処理機３１０Ｂと紙幣用精算処理機３２０Ｂとは、互いに横並びに配置されている。
すなわち、硬貨用精算処理機３１０Ｂと紙幣用精算処理機３２０Ｂとは、高さ方向で互いに重複した位置に配置されている。
より好ましくは、硬貨用精算処理機３１０Ｂ及び紙幣用精算処理機３２０Ｂの上面どうしが互いに同じ高さに配置されていたり、硬貨用精算処理機３１０Ｂ及び紙幣用精算処理機３２０Ｂの下面どうしが互いに同じ高さに配置されていたりする。
本実施形態の場合、硬貨用精算処理機３１０Ｂ及び紙幣用精算処理機３２０Ｂの上面どうしが互いに同じ高さに配置されている。ただし、硬貨用精算処理機３１０Ｂ及び紙幣用精算処理機３２０Ｂの下面どうしは互いに異なる高さに配置されており、具体的には、例えば、硬貨用精算処理機３１０Ｂの下面よりも紙幣用精算処理機３２０Ｂの下面の方が高い位置に配置されている。
また、硬貨用精算処理機３１０Ｂと紙幣用精算処理機３２０Ｂとは、横方向において互いに隣接して配置されていることが好ましい。
具体的には、例えば、図１の矢印Ｂ方向に第２精算処理機２００を見たとき、硬貨用精算処理機３１０Ｂの右隣に紙幣用精算処理機３２０Ｂが配置されている。
【００２９】
第１精算処理機１００は、更に、クレジットカード又はデビットカードなどのカードを用いて精算を行うための第１カード精算用処理部３３０Ａを有する。
同様に、第２精算処理機２００は、更に、クレジットカード又はデビットカードなどのカードを用いて精算を行うための第２カード精算用処理部３３０Ｂを有する。
【００３０】
第１カード精算用処理部３３０Ａ及び第２カード精算用処理部３３０Ｂの各々は、カードが挿入されるカード挿入口３３１と、暗証番号等の入力操作を受け付けるテンキーなどの入力操作部３３２と、を有する。
【００３１】
第１カード精算用処理部３３０Ａは、硬貨用精算処理機３１０Ａ及び紙幣用精算処理機３２０Ａと横並びに配置されていることが好ましい。
具体的には、例えば、図１の矢印Ａ方向に第１精算処理機１００を見たとき、図２に示すように、紙幣用精算処理機３２０Ａの右隣に第１カード精算用処理部３３０Ａが配置されている。
【００３２】
同様に、第２カード精算用処理部３３０Ｂは、硬貨用精算処理機３１０Ｂ及び紙幣用精算処理機３２０Ｂと横並びに配置されていることが好ましい。
具体的には、例えば、図１の矢印Ｂ方向に第２精算処理機２００を見たとき、図３に示すように、紙幣用精算処理機３２０Ｂの右隣に第２カード精算用処理部３３０Ｂが配置されている。
【００３３】
ここで、第１ユーザインターフェース部３００Ａは、硬貨用精算処理機３１０Ａの硬貨投入口３１１、硬貨リジェクト口３１２及び硬貨出金口３１３と、紙幣用精算処理機３２０Ａの紙幣入出金口３２１と、第１カード精算用処理部３３０Ａのカード挿入口３３１及び入力操作部３３２と、を含んでいる。すなわち、これらの各構成は、架台５００の第１側面５１０に配置されている（或いは第１側面５１０側に配置されている）。
【００３４】
同様に、第２ユーザインターフェース部３００Ｂは、硬貨用精算処理機３１０Ｂの硬貨投入口３１１、硬貨リジェクト口３１２及び硬貨出金口３１３と、紙幣用精算処理機３２０Ｂの紙幣入出金口３２１と、第２カード精算用処理部３３０Ｂのカード挿入口３３１及び入力操作部３３２と、を含んでいる。すなわち、これらの各構成は、架台５００の第２側面５２０に配置されている（或いは第２側面５２０側に配置されている）。
【００３５】
各硬貨投入口３１１は、第１ユーザインターフェース部３００Ａ及び第２ユーザインターフェース部３００Ｂの上面に配置されており、それぞれ上方に向けて開口している。
各硬貨リジェクト口３１２は、各硬貨投入口３１１の下方において第１ユーザインターフェース部３００Ａ及び第２ユーザインターフェース部３００Ｂの前面側（一側面側）に配置されている。
各硬貨出金口３１３は、第１ユーザインターフェース部３００Ａ及び第２ユーザインターフェース部３００Ｂの前面側（一側面側）において、例えば、各硬貨リジェクト口３１２の横隣（例えば右隣）に配置されている。
【００３６】
各紙幣入出金口３２１は、第１ユーザインターフェース部３００Ａ及び第２ユーザインターフェース部３００Ｂの前面側（一側面側）に配置されている。
【００３７】
各カード挿入口３３１は、第１ユーザインターフェース部３００Ａ及び第２ユーザインターフェース部３００Ｂの前面側（一側面側）に配置されている。各入力操作部３３２は、例えば、各カード挿入口３３１の上方において、上側を向いて配置されている。
【００３８】
精算装置１０００は、更に、第１精算処理機１００を使用する第１ユーザ用の第１ディスプレイ７００Ａと、第２精算処理機２００を使用する第２ユーザ用の第２ディスプレイ７００Ｂと、を備えている。これら第１ディスプレイ７００Ａ及び第２ディスプレイ７００Ｂは、架台５００に搭載されている。
より具体的には、例えば、第１ディスプレイ７００Ａは、上面５５０における第１側面５１０側の領域に載置され、第２ディスプレイ７００Ｂは、上面５５０における第２側面５２０側の領域に載置されている。
第１ディスプレイ７００Ａは、例えば、その表示画面が第１側面５１０と平行に配置されている。
第２ディスプレイ７００Ｂは、例えば、その表示画面が第２側面５２０と平行に配置されている。
なお、上面５５０は水平であるため、第１ディスプレイ７００Ａと第２ディスプレイ７００Ｂとは互いに同じ高さに配置されている。
【００３９】
第１ディスプレイ７００Ａ及び第２ディスプレイ７００Ｂは、各種の表示を行うものである。
第１ディスプレイ７００Ａ及び第２ディスプレイ７００Ｂは、例えば、タッチパネルとすることができる。この場合、第１ユーザ及び第２ユーザは、第１ディスプレイ７００Ａ及び第２ディスプレイ７００Ｂに対するタッチ操作により、例えば、精算処理の開始を指示したり、精算の方法（例えば、現金、クレジットカード、デビットカードの何れで支払うか）の選択を行ったり、店員の呼出を行ったりすることができるようになっている。
【００４０】
精算装置１０００は、更に、第１精算処理機１００を使用する第１ユーザ用の第１レシート印刷機８００Ａと、第２精算処理機２００を使用する第２ユーザ用の第２レシート印刷機８００Ｂと、を備えている。
第１レシート印刷機８００Ａは、第１ユーザが精算を終えたときに、レシートを印刷し、出力する。
同様に、第２レシート印刷機８００Ｂは、第２ユーザが精算を終えたときに、レシートを印刷し、出力する。
第１レシート印刷機８００Ａは、例えば、上面５５０における第１側面５１０側の領域に載置されており、より具体的には、例えば、図１の矢印Ａ方向に精算装置１０００を見たとき、第１ディスプレイ７００Ａの隣（例えば左隣）に第１レシート印刷機８００Ａが配置されている。
同様に、第２レシート印刷機８００Ｂは、例えば、上面５５０における第２側面５２０側の領域に載置されており、より具体的には、例えば、図１の矢印Ｂ方向に精算装置１０００を見たとき、第２ディスプレイ７００Ｂの隣（例えば左隣）に第２レシート印刷機８００Ｂが配置されている。
【００４１】
精算装置１０００は、更に、第１精算処理機１００を使用する第１ユーザ用の第１呼出ランプ部９００Ａと、第２精算処理機２００を使用する第２ユーザ用の第２呼出ランプ部９００Ｂと、を備えている。
第１呼出ランプ部９００Ａ及び第２呼出ランプ部９００Ｂの形態は、特に限定されないが、一例として、架台５００に立設（例えば、上面５５０に立設）された柱状の形状をなし、その上端部にＬＥＤランプ等の発光表示部を有している。
例えば、第１呼出ランプ部９００Ａは、上面５５０における第１側面５１０側の領域に立設され、第２呼出ランプ部９００Ｂは、上面５５０における第２側面５２０側の領域に立設されている。
第１ユーザによる精算処理に関連するエラー（例えば、硬貨や紙幣の詰まり、お釣りの不足、レシートの紙詰まり等）が生じた場合や、第１ユーザがタッチパネルとしての第１ディスプレイ７００Ａを操作して店員を呼び出す場合などに、第１呼出ランプ部９００Ａの発光表示部が発光するようになっている。
同様に、第２ユーザによる精算処理に関連するエラーが生じた場合や、第２ユーザがタッチパネルとしての第２ディスプレイ７００Ｂを操作して店員を呼び出す場合などに、第２呼出ランプ部９００Ｂが発光表示部が発光するようになっている。
【００４２】
なお、第１ディスプレイ７００Ａ、第１レシート印刷機８００Ａ及び第１呼出ランプ部９００Ａは、第１精算処理機１００の上方の位置に配置されている。
一方、第２ディスプレイ７００Ｂ、第２レシート印刷機８００Ｂ及び第２呼出ランプ部９００Ｂは、第１精算処理機１００の上方、且つ、第２精算処理機２００の上方の位置に配置されている。
【００４３】
精算装置１０００は、更に、目隠し板４００を有している。目隠し板４００は、第１精算処理機１００の第１ユーザインターフェース部３００Ａが配置された側の領域と、第２精算処理機２００の第２ユーザインターフェース部３００Ｂが配置された側の領域と、を相互に遮蔽（視覚的に遮蔽）するものである。
このため、第１ユーザ及び第２ユーザは、互いの視線を気にすることなく、精算処理を行うことができる。特に、クレジットカードなどを用いて精算処理を行う場合における暗証番号の入力操作の際に、他者の視線が気にならないようにすることができる。
【００４４】
より具体的には、例えば、目隠し板４００は、第１ディスプレイ７００Ａ、第１レシート印刷機８００Ａ及び第１呼出ランプ部９００Ａが配置された領域１１００Ａと、第２ディスプレイ７００Ｂ、第２レシート印刷機８００Ｂ及び第２呼出ランプ部９００Ｂが配置された領域１１００Ｂとを相互に仕切っている（図６参照）。
【００４５】
目隠し板４００は、例えば、架台５００の上面よりも上方に起立した状態（例えば鉛直に起立した状態）に配置されている。更に、目隠し板４００は、図１に示すように、第１上側側面５１５と第２上側側面５２５との角部よりも、面取り面５６０側に延出していることが好ましい。
【００４６】
目隠し板４００は、不透明な板部材であっても良いし、半透明又は透明な板部材であっても良い。ただし、目隠し板４００が透明である場合には、色付きのものであることが好ましい。
【００４７】
上記のように、本実施形態の場合、架台５００において、第１精算処理機１００の第１ユーザインターフェース部３００Ａが配置された側面である第１側面５１０と、第２精算処理機２００の第２ユーザインターフェース部３００Ｂが配置された側面である第２側面５２０とは、互いに直交している。
この場合、目隠し板４００は、図１及び図６に示すように、第１側面５１０及び第２側面５２０の双方に対して交差する向きに配置されていることが好ましい。
目隠し板４００は、第１側面５１０に対して３０度以上６０度以下の角度で配置されていることが好ましく、第１側面５１０及び第２側面５２０の双方に対して４５度の角度に配置されていることが更に好ましい。
【００４８】
精算装置１０００は、更に、第１精算処理機１００の第１ユーザインターフェース部３００Ａを使用する第１ユーザ用の第１荷置台６００Ａと、第２精算処理機２００の第２ユーザインターフェース部３００Ｂを使用する第２ユーザ用の第２荷置台６００Ｂと、を有している。これら第１荷置台６００Ａ及び第２荷置台６００Ｂは、架台５００に設けられている。
第１荷置台６００Ａ及び第２荷置台６００Ｂは、例えば、板状に形成されており、その一端部が架台５００の側面に固定されることにより、各々の上面が水平に配置され、且つ、他端側が架台５００の側面から外方に突出している。
より具体的には、第１荷置台６００Ａは、例えば、その一端部が第３側面５３０に固定され、他端側は、第３側面５３０を基準として第２側面５２０側とは反対側に突出している。
一方、第２荷置台６００Ｂは、例えば、その一端部が第４側面５４０に固定され、他端側は、第４側面５４０を基準として第１側面５１０側とは反対側に突出している。
第１荷置台６００Ａ及び第２荷置台６００Ｂの平面形状は、特に限定されないが、それぞれ矩形状（角丸の矩形状など）であることが好ましい。
第１荷置台６００Ａ及び第２荷置台６００Ｂには、それぞれ買い物カゴなどの荷物を載置できるようになっている。
【００４９】
本実施形態の場合、第１荷置台６００Ａと第２荷置台６００Ｂとは、例えば、互いに同じ高さに配置されている。
【００５０】
ここで、図４に示すように、第３側面５３０には、架台５００の内部における第１精算処理機１００の配置領域と連通している第１開口５３１が形成されているとともに、当該第３側面５３０に対して着脱可能に取り付けられて第１開口５３１を閉塞する第１蓋部５３２が設けられている。
第１精算処理機１００の背面側からは、図示しないケーブルが引き出されており、第３側面５３０から第１蓋部５３２を取り外して第１開口５３１を開いた状態で、該第１開口５３１を介してこれらケーブルの配線等の作業を行うことができるようになっている。例えば、第１精算処理機１００のケーブルは、上面５５０上に引き出すことができるようになっている。
同様に、図５に示すように、第４側面５４０には、架台５００の内部における第２精算処理機２００の配置領域と連通している第２開口５４１が形成されているとともに、当該第４側面５４０に対して着脱可能に取り付けられて第２開口５４１を閉塞する第２蓋部５４２が設けられている。
第２精算処理機２００の背面側からは、図示しないケーブルが引き出されており、第４側面５４０から第２蓋部５４２を取り外して第２開口５４１を開いた状態で、該第２開口５４１を介してこれらケーブルの配線等の作業を行うことができるようになっている。例えば、第２精算処理機２００のケーブルは、上面５５０上に引き出すことができるようになっている。
【００５１】
より具体的には、例えば、第３側面５３０の第１開口５３１は、第２荷置台６００Ｂよりも上側に形成されている（図４）。これにより、第２荷置台６００Ｂが、第１開口５３１を介した各種の作業の妨げとなることを抑制できる。
同様に、例えば、第４側面５４０の第２開口５４１は、第１荷置台６００Ａよりも上側に形成されている（図５）。これにより、第１荷置台６００Ａが、第２開口５４１を介した各種の作業の妨げとなることを抑制できる。
【００５２】
第１精算処理機１００と第２精算処理機２００とは、互いに同様のものであることが好ましい。すなわち、第１精算処理機１００と第２精算処理機２００とは、互いに同じ機能を有しているとともに、同一の形状及び寸法に形成されていることが好ましい。
【００５３】
図７に示すように、第１精算処理機１００及び第２精算処理機２００の各々は、例えば、扁平な直方体形状に形成されている。
そして、第１精算処理機１００の側面１１０と第２精算処理機２００の側面２１０とが互いに直交する向きで、第１精算処理機１００及び第２精算処理機２００が配置されている。
【００５４】
例えば、第１精算処理機１００の一側部に位置する第１ユーザインターフェース部３００Ａは、第２精算処理機２００の上方の空間よりも、第１側面５１０側（つまり側面１１０側）にはみ出している（突出している）。
同様に、第２精算処理機２００の一側部に位置する第２ユーザインターフェース部３００Ｂは、第１精算処理機１００の下方の空間よりも、第２側面５２０側（つまり側面２１０側）にはみ出している（突出している）。
【００５５】
次に、図８を用いて、本実施形態に係る精算装置用の架台５００について説明する。
【００５６】
この架台５００は、上述した第１側面５１０、第２側面５２０、第３側面５３０、第４側面５４０、上面５５０、面取り面５６０、第１上側側面５１５及び第２上側側面５２５を備えている。
【００５７】
架台５００には、第１精算処理機１００及び第２精算処理機２００を搭載することが可能となっている。
架台５００の複数の側面の各々には、第１精算処理機１００及び第２精算処理機２００の一方ずつが挿入される挿入穴が形成されている。すなわち、第１側面５１０には挿入穴５１１が形成され、第２側面５２０には挿入穴５２１が形成されている。
【００５８】
例えば、第１精算処理機１００を、その奥側の部分から、挿入穴５１１に対して水平に挿入し、所定の深さまで押し込むことにより、図１に示すように第１精算処理機１００が架台５００に搭載された状態となる。
同様に、第２精算処理機２００を、その奥側の部分から、挿入穴５２１に対して水平に挿入し、所定の深さまで押し込むことにより、図１に示すように第２精算処理機２００が架台５００に搭載された状態となる。
【００５９】
第１側面５１０の挿入穴５１１に第１精算処理機１００が挿入され、第２側面５２０の挿入穴５２１に第２精算処理機２００が挿入されることにより、第１精算処理機１００と第２精算処理機２００とが平面視において重複するとともに、第２精算処理機２００の上方に第１精算処理機１００が配置され、且つ、第１精算処理機１００の第１ユーザインターフェース部３００Ａと、第２精算処理機２００の第２ユーザインターフェース部３００Ｂと、が架台５００の互いに異なる側面（例えば、互いに直交する第１側面５１０及び第２側面５２０）に配置されるようになっている（図１参照）。
【００６０】
第１精算処理機１００及び第２精算処理機２００は、架台５００に対して着脱可能である。
よって、架台５００と第１精算処理機１００及び第２精算処理機２００とを別体にした状態で、精算装置１０００の設置場所まで運搬することにより、運搬作業の負荷を軽減できる。
【００６１】
なお、例えば、第１精算処理機１００及び第２精算処理機２００を元々所有している事業者に対しては、架台５００だけを販売することにより、当該事業者が元々所有している第１精算処理機１００及び第２精算処理機２００を有効活用して、精算装置１０００を組み立てることができる。
【００６２】
架台５００に第１精算処理機１００及び第２精算処理機２００を搭載するとともに、架台５００に、第１ディスプレイ７００Ａ、第２ディスプレイ７００Ｂ、第１レシート印刷機８００Ａ、第２レシート印刷機８００Ｂ、第１呼出ランプ部９００Ａ、第２呼出ランプ部９００Ｂ及び目隠し板４００等を搭載することにより、精算装置１０００を組み立てることができる。
例えば、架台５００の上面５５０等には、目隠し板４００の下端部を挿入して目隠し板４００を固定するためのスリット５５５が形成されていても良い。
また、架台５００の上面５５０には、第１呼出ランプ部９００Ａ、第２呼出ランプ部９００Ｂの下端部を差し込んで、これら第１呼出ランプ部９００Ａ、第２呼出ランプ部９００Ｂを立設させるための、差込固定穴（不図示）が形成されていても良い。
【００６３】
また、図８には、架台５００に第１荷置台６００Ａ及び第２荷置台６００Ｂが固定された状態を示しているが、第１荷置台６００Ａ及び第２荷置台６００Ｂは、架台５００に対して着脱可能となっていても良い。このようにすることにより、架台５００の運搬時等には、第１荷置台６００Ａ及び第２荷置台６００Ｂを架台５００から外した状態とすることができるため、運搬時等における嵩張りを抑制することができる。
【００６４】
架台５００は、例えば、挿入穴用蓋部５１２及び挿入穴用蓋部５２２を備えている。
挿入穴用蓋部５１２は、第１側面５１０の第１上側側面５１５に対して着脱可能に取り付けられて、挿入穴５１１を閉塞することが可能なものである。
同様に、挿入穴用蓋部５２２は、第２側面５２０の第２上側側面５２５に対して着脱可能に取り付けられて、挿入穴５２１を閉塞することが可能なものである。
架台５００に第１精算処理機１００及び第２精算処理機２００を搭載する作業は、挿入穴用蓋部５１２及び挿入穴用蓋部５２２を架台５００から取り外した状態で行う。
一方、架台５００の保管時や運搬時には、挿入穴用蓋部５１２及び挿入穴用蓋部５２２を架台５００に取り付けておくことにより、挿入穴５１１内及び挿入穴５２１への埃等の異物の侵入を抑制することができる。
【００６５】
次に、図９を用いて、精算装置１０００の使用例を説明する。
【００６６】
図９に示す例では、店舗の売り場には、２つの商品登録台３０００が互いに並列に配置され、これら商品登録台３０００どうしの間で店員１０、２０が接客作業を行うようになっている。
各商品登録台３０００には、購買者による購買商品の登録処理を店員が行うための商品登録装置３１００がそれぞれ載置されている。
商品登録台３０００は、それぞれ一方向に長尺なものであり、その長手方向における一端側に、それぞれ精算装置１０００が配置されている。
更に、２つの精算装置１０００が配置された領域を基準として、２つの商品登録台３０００が配置された領域側とは反対側の領域には、購買者が購買商品の袋詰めを行うためのサッカー台３２００が配置されている。
【００６７】
各精算装置１０００の第１精算処理機１００及び第２精算処理機２００には、識別番号が付与されているものとする。
ここでは、図９における左側の精算装置１０００の第１精算処理機１００及び第２精算処理機２００の識別番号が、それぞれ１番及び２番であり、図９における右側の精算装置１０００の第１精算処理機１００及び第２精算処理機２００の識別番号が、それぞれ３番及び４番であるものとする。
これら４つの精算処理機の識別番号は、例えば、対応する精算装置１０００の上面５５０の対応する位置に立設された標識プレート（図示略）に表示されており、購買者が容易に認識できるようになっている。
【００６８】
店員１０は、一方の商品登録台３０００上の商品登録装置３１００を扱って、購買商品を登録するものとし、店員２０は、他方の商品登録台３０００上の商品登録装置３１００を扱って、購買商品を登録するものとする。
【００６９】
店員１０は、購買者３０の購買商品の登録を終えると、購買者３０の商品登録情報を空いている精算処理機（例えば、識別番号１番の第１精算処理機１００）に転送するとともに、購買者３０に対し、当該精算処理機の識別番号（例えば１番）を伝達する。
この際、店員１０は、例えば、購買者３０の購買商品が入った買い物カゴ（不図示）を当該精算処理機と対応する荷置台（例えば第１荷置台６００Ａ）へ運搬する。
【００７０】
その後、購買者３０は、店員１０から伝達された識別番号の精算処理機にて、精算処理を行う。
精算処理は、例えば、タッチパネルとしての第１ディスプレイ７００Ａに表示される「精算開始ボタン」に対して、購買者３０がタッチ操作を行うことをトリガとして開始される。
続いて、例えば、第１ディスプレイ７００Ａには、代金の支払い方法の選択画面が表示され、現金での支払い、クレジットカードでの支払い、又は、デビットカードでの支払いなどが選択可能となる。
【００７１】
購買者３０が、現金での支払いを選択した場合、硬貨用精算処理機３１０Ａ及び紙幣用精算処理機３２０Ａは、現金の投入を待機する状態となる。
続いて、購買者３０が、硬貨投入口３１１と紙幣入出金口３２１との少なくとも何れか一方に現金を投入すると、第１精算処理機１００は、投入された現金の計数処理を実行し、計数された金額と「金額確認ボタン」とを第１ディスプレイ７００Ａに表示する。
続いて、購買者３０が、「金額確認ボタン」に対してタッチ操作を行うと、第１精算処理機１００は、釣銭の計算処理を実行し、硬貨出金口３１３及び紙幣入出金口３２１に釣銭を払い出す。
また、第１精算処理機１００は、第１レシート印刷機８００Ａに対し、レシートの印刷処理を実行させ、これを受けて、第１レシート印刷機８００Ａはレシートを印刷し、出力する。
【００７２】
その後、購買者３０は、購買商品が入った買い物カゴを持ってサッカー台３２００に移動し、購買商品の袋詰めを行う。
【００７３】
ここで、図９において店員１０の動線が破線で示されるように、店員１０は、左側の精算装置１０００の第１精算処理機１００を扱う購買者、左側の精算装置１０００の第２精算処理機２００を扱う購買者、及び、右側の精算装置１０００の第１精算処理機１００を扱う購買者に対して、精算装置１０００の扱い方についてのアドバイスがし易い位置へ、スムーズに移動することができる。
同様に、店員２０は、左側の精算装置１０００の第２精算処理機２００を扱う購買者、右側の精算装置１０００の第１精算処理機１００を扱う購買者、及び、右側の精算装置１０００の第２精算処理機２００を扱う購買者に対して、精算装置１０００の扱い方についてのアドバイスがし易い位置へ、スムーズに移動することができる。
【００７４】
以上のような第１の実施形態によれば、第１精算処理機１００と第２精算処理機２００とが平面視において重複するように、第２精算処理機２００の上方に第１精算処理機１００が配置されているので、２つの精算処理を並行して行うための設備を省スペース化することができる。
よって、店舗内の限られた設置スペース（平面的なスペース）でより多くの精算処理を並行して行うことが可能となる。
ここで、第１精算処理機１００の第１ユーザインターフェース部３００Ａと第２精算処理機２００の第２ユーザインターフェース部３００Ｂとが精算装置１０００の互いに異なる側面（例えば架台５００の互いに異なる側面）に配置されているので、第１ユーザインターフェース部３００Ａを扱う第１ユーザと、第２ユーザインターフェース部３００Ｂを扱う第２ユーザとの干渉を抑制することができる。よって、第１ユーザと第２ユーザのそれぞれの精算処理を、スムーズに、且つ、互いのプライバシーを保ちながら行うことができる。
【００７５】
また、第１精算処理機１００が硬貨用精算処理機３１０Ａと紙幣用精算処理機３２０Ａとを有し、第２精算処理機２００が硬貨用精算処理機３１０Ｂと紙幣用精算処理機３２０Ｂとを有している場合、第１精算処理機１００及び第２精算処理機２００は、嵩張るものとなる。
このような場合に、第１精算処理機１００と第２精算処理機２００とが平面視において重複するように、第２精算処理機２００の上方に第１精算処理機１００が配置されていることにより、２つの第１精算処理機１００及び第２精算処理機２００の設置スペース（平面的なスペース）の削減効果を特に高めることができる。
【００７６】
また、硬貨用精算処理機３１０Ａと紙幣用精算処理機３２０Ａとが互いに横並びに配置されていることにより、硬貨用精算処理機３１０Ａに対する操作と紙幣用精算処理機３２０Ａに対する操作とを同等の高さで行うことができるため、精算処理が容易となる。
同様に、硬貨用精算処理機３１０Ｂと紙幣用精算処理機３２０Ｂとが互いに横並びに配置されていることにより、硬貨用精算処理機３１０Ｂに対する操作と紙幣用精算処理機３２０Ｂに対する操作とを同等の高さで行うことができるため、精算処理が容易となる。
【００７７】
また、精算装置１０００は、第１精算処理機１００の第１ユーザインターフェース部３００Ａが配置された側の領域と、第２精算処理機２００の第２ユーザインターフェース部３００Ｂが配置された側の領域と、を相互に遮蔽する目隠し板４００を有する。よって、第１ユーザ及び第２ユーザは、互いの視線を気にすることなく精算処理を行うことができる。特に、クレジットカードなどを用いて精算処理を行う場合における暗証番号の入力操作の際に、他者の視線が気にならないようにすることができる。
【００７８】
また、本実施形態の場合、架台５００において、第１精算処理機１００の第１ユーザインターフェース部３００Ａが配置された側面である第１側面５１０と、第２精算処理機２００の第２ユーザインターフェース部３００Ｂが配置された側面である第２側面５２０とは、互いに直交している。この場合に、目隠し板４００が、第１側面５１０及び第２側面５２０の双方に対して交差する向きに配置されていることにより、第１ユーザインターフェース部３００Ａが配置された側の領域と、第２ユーザインターフェース部３００Ｂが配置された側の領域とを、１枚の目隠し板４００により効果的に遮蔽することができる。
【００７９】
また、第１精算処理機１００におけるユーザインターフェース部３００Ａ側の側面１１０と、架台５００において第１精算処理機１００のユーザインターフェース部３００Ａが配置された側面である第１側面５１０と、が互いに面一である。これにより、精算装置１０００における第１側面５１０側がすっきりした外観となっているとともに、店内を移動する人やカートなどが第１精算処理機１００にぶつかってしまうことを抑制できる。
同様に、第２精算処理機２００における第１ユーザインターフェース部３００Ａ側の側面２１０と、架台５００において第２精算処理機２００の第２ユーザインターフェース部３００Ｂが配置された側面である第２側面５２０と、が互いに面一である。これにより、精算装置１０００における第２側面５２０側がすっきりした外観となっているとともに、店内を移動する人やカートなどが第２精算処理機２００にぶつかってしまうことを抑制できる。
【００８０】
また、第１精算処理機１００の第１ユーザインターフェース部３００Ａを使用する第１ユーザ用の第１荷置台６００Ａと、第２精算処理機２００の第２ユーザインターフェース部３００Ｂを使用する第２ユーザ用の第２荷置台６００Ｂと、が架台５００に設けられている。これにより、第１ユーザ及び第２ユーザが、それぞれ専用の荷置台に荷物を置いた状態で、精算処理を行うことができるため、荷物の取り違い等の発生を抑制できる。
【００８１】
また、第１荷置台６００Ａと第２荷置台６００Ｂとが互いに同じ高さに配置されている場合、手に提げた荷物或いは床に置いた荷物を各荷置台に置く作業の負荷を、各ユーザ間で同等にできる。
【００８２】
なお、より高い位置に配置された第１ユーザインターフェース部３００Ａと対応する第１荷置台６００Ａの方が、より低い位置に配置された第２ユーザインターフェース部３００Ｂと対応する第２荷置台６００Ｂよりも高い位置に配置されていることも好ましい。このようにした場合は、各ユーザインターフェース部３００と各荷置台６００Ａ、６００Ｂとの距離が近くなるため、各ユーザインターフェース部３００を扱いながらも、各荷置台６００Ａ、６００Ｂ上の荷物を各ユーザの監視下に置きやすくなる。
【００８３】
また、第１精算処理機１００を使用する第１ユーザ用の第１ディスプレイ７００Ａと、第２精算処理機２００を使用する第２ユーザ用の第２ディスプレイ７００Ｂと、が架台５００に搭載されているので、第１ユーザ及び第２ユーザが、それぞれ専用のディスプレイを使用して、精算処理を行うことができる。
【００８４】
また、第１ディスプレイ７００Ａと第２ディスプレイ７００Ｂとが互いに同じ高さに配置されている場合、第１ディスプレイ７００Ａを見るときの姿勢（立ち方）と第２ディスプレイ７００Ｂを見るときの姿勢（立ち方）とを同等にすることができる。
【００８５】
また、本実施形態に係る架台５００によれば、複数の側面にそれぞれ形成された挿入穴５１１、５２１に対して、それぞれ第１精算処理機１００及び第２精算処理機２００を挿入することにより、容易に、精算装置１０００を構築（組み立てる）ことができる。すなわち、限られた設置スペースでより多くの精算処理を並行して行うことを可能とする精算装置１０００を容易に構築することができる。
【００８６】
また、架台５００は、架台５００の複数の側面に対してそれぞれ着脱可能に取り付けられて挿入穴５１１、５２１を閉塞することが可能な複数の挿入穴用蓋部５１２、５２２を備える。よって、架台５００の保管時や運搬時等には挿入穴用蓋部５１２、５２２によって挿入穴５１１、５２１を塞ぐことができるため、挿入穴５１１、５２１に埃等の異物が侵入してしまうことを抑制することが可能である。
【００８７】
〔第２の実施形態〕
図１０は第２の実施形態に係る精算装置１０００を手前側から見た斜視図である。
図１１は第２の実施形態に係る精算装置１０００を奧側から見た斜視図である。
図１２は第２の実施形態に係る精算装置１０００における第１精算処理機１００及び第２精算処理機２００の配置を示す模式的な斜視図である。
図１３は第２の実施形態に係る精算装置用の架台５００の斜視図である。
【００８８】
本実施形態に係る精算装置１０００は、以下に説明する点で、上記の第１の実施形態に係る精算装置１０００と相違し、その他の点では、第１の実施形態に係る精算装置１０００と同様に構成されている。
【００８９】
上記の第１の実施形態では、第１ユーザインターフェース部３００Ａと第２ユーザインターフェース部３００Ｂとが、互いに直交する第１側面５１０及び第２側面５２０にそれぞれ配置されている例を説明した。
【００９０】
これに対し、本実施形態の場合、図１０及び図１１に示すように、第１ユーザインターフェース部３００Ａと第２ユーザインターフェース部３００Ｂとは、互いに反対向きの第１側面５１０及び第２側面５２０にそれぞれ配置されている。
【００９１】
本実施形態の場合、架台５００は、例えば、平面視において矩形状に形成されており、互いに反対向きの第１側面５１０及び第２側面５２０と、第１側面５１０と第２側面５２０との間に位置する一対の側面５７０及び５８０と、を有する。
側面５７０と側面５８０とは、例えば、互いに反対向きとなっている。
【００９２】
本実施形態の場合、上面５５０は、高段部５５１と、高段部５５１よりも低段に配置された低段部５５２と、を含んでいる。高段部５５１は、上面５５０における第１側面５１０側の半部であり、低段部５５２は、上面５５０における第２側面５２０側の半部である。
【００９３】
高段部５５１には、第１ディスプレイ７００Ａ、第１レシート印刷機８００Ａ及び第１呼出ランプ部９００Ａが配置され、低段部５５２には、第２ディスプレイ７００Ｂ、第２レシート印刷機８００Ｂ及び第２呼出ランプ部９００Ｂが配置されている。
したがって、第１ディスプレイ７００Ａの方が第２ディスプレイ７００Ｂよりも高い位置に配置されている。
【００９４】
目隠し板４００は、平面視において、高段部５５１と低段部５５２との境界に配置されている。目隠し板４００は、例えば、第１側面５１０及び第２側面５２０に対して平行に配置されている。
【００９５】
第１荷置台６００Ａは、例えば、その一端部が側面５７０に固定され、他端側は、側面５７０を基準として側面５８０側とは反対側に突出している。
同様に、第２荷置台６００Ｂは、例えば、その一端部が側面５８０に固定され、他端側は、側面５８０を基準として側面５７０側とは反対側に突出している。
【００９６】
図１２に示される斜視図から分かるように、第１精算処理機１００と第２精算処理機２００とは、側面１１０と側面２１０とが互いに平行且つ互いに反対向きとなるように配置されている。
【００９７】
図１３に示すように、本実施形態の場合も、架台５００の第１側面５１０には挿入穴５１１が形成されている。また、第２側面５２０には挿入穴５２１（不図示）が形成されている。
本実施形態の場合、挿入穴５１１が開口する方向と、挿入穴５２１が開口する方向とは、互いに反対方向である。
【００９８】
本実施形態の場合も、第１精算処理機１００を、その奥側の部分から、挿入穴５１１に対して水平に挿入し、所定の深さまで押し込むことにより、図１０に示すように第１精算処理機１００が架台５００に搭載された状態となる。
同様に、第２精算処理機２００を、その奥側の部分から、挿入穴５２１に対して水平に挿入し、所定の深さまで押し込むことにより、図１１に示すように第２精算処理機２００が架台５００に搭載された状態となる。
【００９９】
以上のような第２の実施形態によっても、第１の実施形態と同様の効果が得られる。
【０１００】
なお、本実施形態の場合、第１精算処理機１００及び第２精算処理機２００の形状にも依存するが、第１の実施形態よりも更に精算装置１０００の省スペース化（平面スペースの削減）が可能である。
例えば、第１精算処理機１００及び第２精算処理機２００が、奥行き方向に長い直方体形状である場合などにおいては、平面視において第１精算処理機１００の幅方向における両端位置と第２精算処理機２００の幅方向における両端位置とを揃えて配置することにより、第１精算処理機１００及び第２精算処理機２００が占める平面スペースの幅寸法を、１つの精算処理機分の幅寸法とすることができる。
【０１０１】
〔第３の実施形態〕
上記の第１の実施形態では、第３側面５３０の第１開口５３１（図４）及び第４側面５４０の第２開口５４１（図５）は、それぞれ、第１精算処理機１００及び第２精算処理機２００の背面側のケーブルの配線作業等を行うためのものである例を説明した。
【０１０２】
ただし、これら第１開口５３１及び第２開口５４１は、第１精算処理機１００及び第２精算処理機２００の一方ずつが挿入される挿入穴として用いることも可能である。
すなわち、架台５００の複数の側面には、第１側面５１０と、第１側面５１０に対して直交する第２側面５２０と、第１側面５１０とは反対向きの第３側面５３０と、第２側面５２０とは反対向きの第４側面５４０と、の４つの側面が含まれており、４つの側面の各々に、挿入穴が形成されている構成とすることができる。
この場合、第１蓋部５３２（図４）及び第２蓋部５４２（図５）は、それぞれ挿入穴用蓋部とみなすことができる。
【０１０３】
このように、架台５００の４つの側面の各々に挿入穴が形成されている場合、挿入穴用蓋部を外して挿入穴を開口させた箇所に、第１精算処理機１００及び第２精算処理機２００を挿入して、精算装置１０００を組み立てることができる。
よって、店舗内の設置スペースの都合や、店舗毎の第１精算処理機１００及び第２精算処理機２００のユーザインターフェース部３００のレイアウト上のコンセプト等に応じて、架台５００の４つの側面のうち好みの側面に各ユーザインターフェース部３００を配置することができる。
【０１０４】
なお、上記の各実施形態において、第１精算処理機１００と第２精算処理機２００との間（高さ方向において、第１精算処理機１００と第２精算処理機２００との間の位置）には、第１精算処理機１００及び第２精算処理機２００以外の、他の精算処理機が配置されていても良い。
同様に、第１精算処理機１００よりも上方の位置、或いは、第２精算処理機２００よりも下方の位置にも、他の精算処理機が配置されていても良い。
ここで言う他の精算処理機は、例えば、第１精算処理機１００を扱う第１ユーザによる精算処理に用いられるものであっても良いし、第２精算処理機２００を扱う第２ユーザによる精算処理に用いられるものであっても良いし、第１ユーザでも第２ユーザでもない第３ユーザによる精算処理に用いられるものであっても良い。
具体的な例として、例えば、第１精算処理機１００は、硬貨用精算処理機３１０Ａと紙幣用精算処理機３２０Ａとのうち一方の釣銭機のみを有しているが、他方の釣銭機は有していないものとし、当該他方の釣銭機が、第１精算処理機１００と第２精算処理機２００との間、第１精算処理機１００よりも上方、又は、第２精算処理機２００よりも下方に配置されている構成とすることができる。同様に、第２精算処理機２００は、硬貨用精算処理機３１０Ｂと紙幣用精算処理機３２０Ｂとのうち一方の釣銭機のみを有しているが、他方の釣銭機は有していないものとし、当該他方の釣銭機が、第１精算処理機１００と第２精算処理機２００との間、第２精算処理機２００よりも下方、又は、第１精算処理機１００よりも上方に配置されている構成とすることができる。
【０１０５】
また、上記の各実施形態では、第１精算処理機１００及び第２精算処理機２００が、硬貨用釣銭機、紙幣用釣銭機及びカード精算用処理部をそれぞれ備えている例を説明した。
ただし、第１精算処理機１００及び第２精算処理機２００は、購買者による購買商品の精算処理を当該購買者が行うことが可能であれば、その他の構成を有していても良い。
例えば、第１精算処理機１００及び第２精算処理機２００は、現金での精算のみが可能なように、硬貨用釣銭機及び紙幣用釣銭機は有しているが、カード精算用処理部は有していない構成であっても良い。
また、現金での精算のみが可能な場合において、第１精算処理機１００及び第２精算処理機２００は、硬貨用釣銭機と紙幣用釣銭機とのうちの何れか一方だけを有していても良い。
或いは、第１精算処理機１００及び第２精算処理機２００は、クレジットカード又はデビットカード等での精算のみが可能なように、カード精算用処理部は有しているが、硬貨用釣銭機及び紙幣用釣銭機は有していない構成であっても良い。
或いは、第１精算処理機１００及び第２精算処理機２００は、電子マネーでの精算が可能となるように、電子マネーによる精算処理を実行する電子マネー精算処理部を備えていても良い。この場合に、第１精算処理機１００及び第２精算処理機２００は、電子マネーでの精算のみが可能なように、電子マネー精算処理部は有しているが、硬貨用釣銭機及び紙幣用釣銭機やカード精算用処理部は有していない構成であっても良い。
なお、電子マネーでの精算が可能な構成のユーザインターフェース部３００は、電子マネーの残高情報等を記憶した記憶媒体（例えば、ＩＣカード等）の情報を読み取る読取装置を含む。ユーザは、読み取り装置に対して、記憶媒体を接触させたり、かざしたりすることにより、記憶媒体に記憶された情報を読取装置に読み取らせる処理を行う。
【０１０６】
また、上記の各実施形態では、主として、精算装置１０００がセミセルフレジであり、第１精算処理機１００及び第２精算処理機２００が、購買者による購買商品の精算処理を当該購買者が行うための精算処理機である例を説明した。
ただし、上述のように、精算装置１０００は、購買者による購買商品の精算処理を店員が行うためのレジ（レジスター装置）であっても良い。この場合、第１精算処理機１００及び第２精算処理機２００の各々は、購買者による購買商品の精算処理を店員が行うためのドロアである。
第１精算処理機１００及び第２精算処理機２００がドロアである場合、第１精算処理機１００及び第２精算処理機２００は、店員が操作することにより手前側（側面１１０、２１０側）に飛び出し、店員が側面１１０、２１０を押し込むことにより、元の位置に戻り、ラッチされる。この場合のユーザインターフェース部３００には、少なくとも、飛び出した第１精算処理機１００及び第２精算処理機２００を元の位置に戻すために店員が押圧操作する側面１１０、２１０が含まれる。
【０１０７】
また、上記の各実施形態では、主として、精算装置１０００がセミセルフレジである例を説明したが、精算装置１０００は、購買商品の登録処理も購買者が行うように構成された、フルセルフレジであっても良い。この場合、例えば、購買商品の登録処理を行うための、バーコード読み取り装置等の登録装置が、各第１精算処理機１００及び第２精算処理機２００に併設される。
【０１０８】
〔第４の実施形態〕
図１４は、第４の実施形態に係る精算装置１０００の一例を示す図である。本図は、水平面に垂直な方向（より詳細には、架台５００の上方）から第１精算処理機１００及び第２精算処理機２００を見た図である。なお、水平面に垂直な方向とは、第１精算処理機１００及び第２精算処理機２００の設置面に垂直な方向である。本実施形態に係る精算装置１０００は、以下の点を除いて、第１の実施形態〜第３の実施形態に係る精算装置１０００と同様の構成である。
【０１０９】
なお、本図に示す例では、第１精算処理機１００が第２精算処理機２００よりも上側に位置しているが、第２精算処理機２００が第１精算処理機１００よりも上側に位置していてもよい。以下、本実施形態では、第１精算処理機１００が第２精算処理機２００よりも上側に位置するとして説明を行う。
【０１１０】
本図に示す例において、第１精算処理機１００の少なくとも一部は、第２精算処理機２００と重なっている。より詳細には、本図に示す例では、第１精算処理機１００の一部は第２精算処理機２００と重なっておらず、第１精算処理機１００の残りの一部は第２精算処理機２００と重なっている。図８を用いて説明したように、第１精算処理機１００は、第１ユーザインターフェース部３００Ａが架台５００の外側を向く向きに架台５００の挿入穴５１１に差し込まれ、第２精算処理機２００は、第２ユーザインターフェース部３００Ｂが架台５００の外側を向く向きに架台５００の挿入穴５２１に差し込まれている。これにより、第１精算処理機１００及び第２精算処理機２００は、架台５００（搭載部材）に取り付けられている
【０１１１】
なお、第１精算処理機１００（第１ユーザインターフェース部３００Ａ）が向いている方向と第２精算処理機２００（第２ユーザインターフェース部３００Ｂ）が向いている方向との差は、本図に示す例（９０°）に限定されるものではない。この差は、例えば、３０°以上１５０°以下であってもよい。さらに、第１精算処理機１００（第１ユーザインターフェース部３００Ａ）と第２精算処理機２００（第２ユーザインターフェース部３００Ｂ）とは、互いに逆側を向いていてもよい。
【０１１２】
図１５は、図１４の変形例を示す図である。本図は、水平面に垂直な方向（より詳細には、架台５００の上方）から第１精算処理機１００及び第２精算処理機２００を見た図である。本図に示すように、第１精算処理機１００は、いずれの部分も第２精算処理機２００と重なっていなくてもよい。
【０１１３】
〔第５の実施形態〕
図１６は、第５の実施形態に係る精算装置１０００に用いられる第１精算処理機１００の構成の詳細の一例を示す図である。本図（ａ）は、ユーザインターフェース部３００の前方から第１精算処理機１００を見た図である。本図（ｂ）は、第１精算処理機１００の上方から硬貨用精算処理機３１０Ａ及び紙幣用精算処理機３２０Ａを見た図である。本図に示す第１精算処理機１００は、第１の実施形態〜第４の実施形態のいずれかに係る第１精算処理機１００と同様にして、水平方向において互いに隣り合う硬貨用精算処理機３１０Ａ及び硬貨用精算処理機３１０Ｂを備える。そして本図に示す例では、硬貨用精算処理機３１０Ａの上面と紙幣用精算処理機３２０Ａの上面とは互いに揃っており、硬貨用精算処理機３１０Ａの下面と紙幣用精算処理機３２０Ａの下面とは互いに揃っている。
【０１１４】
図１７は、図１６の第１の変形例を示す図である。本図に示す例において、硬貨用精算処理機３１０Ａ及び紙幣用精算処理機３２０Ａは、水平面に垂直な方向（すなわち、鉛直方向）において互いに隣り合っている。より詳細には、本図に示す例では、硬貨用精算処理機３１０Ａは、紙幣用精算処理機３２０Ａの上面上に搭載されている。さらに、硬貨用精算処理機３１０Ａの幅と紙幣用精算処理機３２０Ａの幅とが等しくなっている。そして第１精算処理機１００の幅方向において、硬貨用精算処理機３１０Ａの中心と紙幣用精算処理機３２０Ａの中心が一致している。本図に示す例では、水平面に垂直な方向（すなわち、鉛直方向）から見た場合、硬貨用精算処理機３１０Ａの全体が紙幣用精算処理機３２０Ａの全体と重なっている。
【０１１５】
図１８は、図１６の第２の変形例を示す図である。本図に示すように、硬貨用精算処理機３１０Ａの位置及び紙幣用精算処理機３２０Ａの位置は、図１７に示した例とは逆にしてもよい。具体的には、本図に示す例では、硬貨用精算処理機３１０Ａの上方に紙幣用精算処理機３２０Ａが位置している。
【０１１６】
図１９は、図１６の第３の変形例を示す図である。本図に示す例は、以下の点を除いて、図１７に示した例と同様である。本図に示す例において、紙幣用精算処理機３２０Ａの幅は、硬貨用精算処理機３１０Ａの幅よりも広い。そして第１精算処理機１００の幅方向において、硬貨用精算処理機３１０Ａは、紙幣用精算処理機３２０Ａの両側面よりも内側に位置している。本図に示す例では、水平面に垂直な方向（すなわち、鉛直方向）から見た場合、硬貨用精算処理機３１０Ａの全体が紙幣用精算処理機３２０Ａの一部と重なっている。
【０１１７】
図２０は、図１６の第４の変形例を示す図である。本図に示す例は、以下の点を除いて、図１８に示した例と同様である。本図に示す例において、硬貨用精算処理機３１０Ａの幅は、紙幣用精算処理機３２０Ａの幅よりも広い。そして第１精算処理機１００の幅方向において、紙幣用精算処理機３２０Ａは、硬貨用精算処理機３１０Ａの両側面よりも内側に位置している。本図に示す例では、水平面に垂直な方向（すなわち、鉛直方向）から見た場合、紙幣用精算処理機３２０Ａの全体が硬貨用精算処理機３１０Ａの一部と重なっている。
【０１１８】
図２１は、図１６の第５の変形例を示す図である。本図に示す例は、以下の点を除いて、図１７に示した例と同様である。本図に示す例において、硬貨用精算処理機３１０Ａの幅は、紙幣用精算処理機３２０Ａの幅よりも広い。そして第１精算処理機１００の幅方向において、紙幣用精算処理機３２０Ａは、硬貨用精算処理機３１０Ａの両側面よりも内側に位置している。本図に示す例では、水平面に垂直な方向（すなわち、鉛直方向）から見た場合、紙幣用精算処理機３２０Ａの全体が硬貨用精算処理機３１０Ａの一部と重なっている。
【０１１９】
図２２は、図１６の第６の変形例を示す図である。本図に示す例は、以下の点を除いて、図１８に示した例と同様である。本図に示す例において、紙幣用精算処理機３２０Ａの幅は、硬貨用精算処理機３１０Ａの幅よりも広い。そして第１精算処理機１００の幅方向において、硬貨用精算処理機３１０Ａは、紙幣用精算処理機３２０Ａの両側面よりも内側に位置している。本図に示す例では、水平面に垂直な方向（すなわち、鉛直方向）から見た場合、硬貨用精算処理機３１０Ａの全体が紙幣用精算処理機３２０Ａの一部と重なっている。
【０１２０】
図２３は、図１６の第７の変形例を示す図である。本図に示す例は、以下の点を除いて、図１７に示した例と同様である。本図に示す例では、第１精算処理機１００の幅方向において、硬貨用精算処理機３１０Ａの一部は、紙幣用精算処理機３２０Ａの外側に位置している。そして水平面に垂直な方向（すなわち、鉛直方向）から見た場合、硬貨用精算処理機３１０Ａの一部が紙幣用精算処理機３２０Ａの一部と重なっている。
【０１２１】
図２４は、図１６の第８の変形例を示す図である。本図に示すように、硬貨用精算処理機３１０Ａの位置と紙幣用精算処理機３２０Ａの位置とは、図２３に示した例とは逆にしてもよい。具体的には、本図に示す例では、硬貨用精算処理機３１０Ａの上方に紙幣用精算処理機３２０Ａが位置している。
【０１２２】
図２５は、図１６の第９の変形例を示す図である。本図に示す例は、以下の点を除いて、図１７に示した例と同様である。本図に示す例では、第１精算処理機１００の幅方向において、硬貨用精算処理機３１０Ａの全体が紙幣用精算処理機３２０Ａの外側に位置している。言い換えると、水平面に垂直な方向から見た場合、硬貨用精算処理機３１０Ａは、いずれの部分も、紙幣用精算処理機３２０Ａと重なっていない。さらに本図に示す例では、硬貨用精算処理機３１０Ａの下面と紙幣用精算処理機３２０Ａの上面とが揃っている。
【０１２３】
図２６は、図１６の第１０の変形例を示す図である。本図に示すように、硬貨用精算処理機３１０Ａの位置と紙幣用精算処理機３２０Ａの位置とは、図２５に示した例とは逆にしてもよい。具体的には、本図に示す例では、紙幣用精算処理機３２０Ａの下面と硬貨用精算処理機３１０Ａの上面とが揃っている。
【０１２４】
図２７は、図１６の第１１の変形例を示す図である。本図に示す例は、以下の点を除いて、図２５に示した例と同様である。本図に示す例では、水平面に垂直な方向において、硬貨用精算処理機３１０Ａの下面と紙幣用精算処理機３２０Ａの上面とは、互いに離れている。より詳細には、水平面に垂直な方向において、硬貨用精算処理機３１０Ａの下面は、紙幣用精算処理機３２０Ａの上面よりも上に位置している。
【０１２５】
図２８は、図１６の第１２の変形例を示す図である。本図に示すように、硬貨用精算処理機３１０Ａの位置と紙幣用精算処理機３２０Ａの位置とは、図２７に示した例とは逆にしてもよい。具体的には、本図に示す例では、水平面に垂直な方向において、紙幣用精算処理機３２０Ａの下面は、硬貨用精算処理機３１０Ａの上面よりも上に位置している。
【０１２６】
図２９は、図１６の第１３の変形例を示す図である。本図に示す例は、以下の点を除いて、図２５に示した例と同様である。本図に示す例では、水平面に垂直な方向において、硬貨用精算処理機３１０Ａの下面は、紙幣用精算処理機３２０Ａの上面よりも下、かつ紙幣用精算処理機３２０Ａの下面よりも上に位置する。
【０１２７】
図３０は、図１６の第１４の変形例を示す図である。本図に示すように、硬貨用精算処理機３１０Ａの位置と紙幣用精算処理機３２０Ａの位置とは、図２９に示した例とは逆にしてもよい。具体的には、本図に示す例では、水平面に垂直な方向において、紙幣用精算処理機３２０Ａの下面は、硬貨用精算処理機３１０Ａの上面よりも下、かつ硬貨用精算処理機３１０Ａの下面よりも上に位置する。
【０１２８】
本実施形態においては、第２精算処理機２００の構成も、図１６〜図３０に示した例のいずれかにしてもよい。そして第１精算処理機１００の構成と第２精算処理機２００の構成とは、同一であってもよいし、又は互いに異なっていてもよい。第１精算処理機１００の構成と第２精算処理機２００とが同一となる場合、第１精算処理機１００の構成及び第２精算処理機２００の構成は、いずれも、例えば図１６に示した例とする。一方、第１精算処理機１００の構成と第２精算処理機２００の構成とが互いに異なる場合、第１精算処理機１００の構成は例えば図１６に示した例とし、第２精算処理機２００の構成は例えば図３０に示した例とする。
【０１２９】
〔第６の実施形態〕
図３１は、第６の実施形態に係る精算装置１０００に用いられる第１精算処理機１００の構成の第１例を示す図である。本図は、ユーザインターフェース部３００の前方から第１精算処理機１００を見た図である。本図に示す第１精算処理機１００は、以下の点を除いて、第１の実施形態〜第５の実施形態のいずれかに係る第１精算処理機１００と同様の構成である。
【０１３０】
本図に示す例では、一方の第１精算処理機１００が他方の第１精算処理機１００の上に積み重ねられている。各第１精算処理機１００は、例えば図１６に示した第１精算処理機１００である。本図に示す例では、いずれの第１精算処理機１００においても、硬貨用精算処理機３１０Ａは、紙幣用精算処理機３２０Ａに対して同じ側（具体的には、ユーザインターフェース部３００の前方から見た場合に左側）に位置している。
【０１３１】
図３２は、第１精算処理機１００の構成の第２例を示す図である。本図に示す例は、以下の点を除いて、図３１に示した例と同様である。本図に示す例でも、一方の第１精算処理機１００が他方の第１精算処理機１００の上に積み重ねられている。そして本図に示す例では、ユーザインターフェース部３００の前方から見た場合、一方の第１精算処理機１００では、硬貨用精算処理機３１０Ａが紙幣用精算処理機３２０Ａの左側に位置し、他方の第１精算処理機１００では、硬貨用精算処理機３１０Ａが紙幣用精算処理機３２０Ａの右側に位置している。
【０１３２】
図３３は、第１精算処理機１００の構成の第３例を示す図である。本図に示す例は、以下の点を除いて、図３１に示した例と同様である。本図に示す例では、２つの第１精算処理機１００が水平方向において互いに隣り合っている。本図に示す例では、いずれの第１精算処理機１００においても、硬貨用精算処理機３１０Ａは紙幣用精算処理機３２０Ａの上側に位置している。各第１精算処理機１００は、例えば図１７に示した第１精算処理機１００である。
【０１３３】
図３４は、第１精算処理機１００の構成の第４例を示す図である。本図に示す例は、以下の点を除いて、図３１に示した例と同様である。本図に示す例では、２つの第１精算処理機１００が水平方向において互いに隣り合っている。本図に示す例では、いずれの第１精算処理機１００においても、硬貨用精算処理機３１０Ａは紙幣用精算処理機３２０Ａの下側に位置している。各第１精算処理機１００は、例えば図１７に示した第１精算処理機１００である。
【０１３４】
図３５は、第１精算処理機１００の構成の第５例を示す図である。本図に示す例は、以下の点を除いて、図３１に示した例と同様である。本図に示す例では、２つの第１精算処理機１００が水平方向において互いに隣り合っている。本図に示す例では、一方の第１精算処理機１００では、紙幣用精算処理機３２０Ａの上面上に硬貨用精算処理機３１０Ａが搭載され、他方の第１精算処理機１００では、硬貨用精算処理機３１０Ａの上面上に紙幣用精算処理機３２０Ａが搭載されている。
【０１３５】
図３６は、第１精算処理機１００の構成の第６例を示す図である。本図に示す例は、以下の点を除いて、図３１に示した例と同様である。本図に示す例では、２つの第１精算処理機１００が水平方向において互いに隣り合っている。いずれの第１精算処理機１００においても、硬貨用精算処理機３１０Ａの幅が紙幣用精算処理機３２０Ａの幅よりも狭い。
さらに、硬貨用精算処理機３１０Ａの一方の側面は、紙幣用精算処理機３２０Ａの一方の側面に揃っている。そして２つの第１精算処理機１００は、これらの側面が互いに対向する向きに並べられている。
【０１３６】
図３７は、第１精算処理機１００の構成の第７例を示す図である。本図に示す例は、以下の点を除いて、図３１に示した例と同様である。本図に示す例では、２つの第１精算処理機１００が水平方向において互いに隣り合っている。いずれの第１精算処理機１００においても、硬貨用精算処理機３１０Ａの幅が紙幣用精算処理機３２０Ａの幅よりも広い。
さらに、硬貨用精算処理機３１０Ａの一方の側面は、紙幣用精算処理機３２０Ａの一方の側面に揃っている。そして２つの第１精算処理機１００は、これらの側面が互いに対向する向きに並べられている。
【０１３７】
図３８は、第１精算処理機１００の構成の第８例を示す図である。本図に示す例は、以下の点を除いて、図３１に示した例と同様である。本図に示す例では、一方の第１精算処理機１００が他方の第１精算処理機１００の上に積み重ねられている。そしていずれの第１精算処理機１００においても、硬貨用精算処理機３１０Ａの幅は、紙幣用精算処理機３２０Ａの幅よりも狭い。
【０１３８】
図３９は、第１精算処理機１００の構成の第９例を示す図である。本図に示す例は、以下の点を除いて、図３１に示した例と同様である。本図に示す例では、一方の第１精算処理機１００が他方の第１精算処理機１００の上に積み重ねられている。そしていずれの第１精算処理機１００においても、硬貨用精算処理機３１０Ａの幅は、紙幣用精算処理機３２０Ａの幅よりも広い。
【０１３９】
図４０は、第１精算処理機１００の構成の第１０例を示す図である。本図に示す例は、以下の点を除いて、図３１に示した例と同様である。本図に示す例では、一方の第１精算処理機１００が他方の第１精算処理機１００の上に積み重ねられている。そして一方の第１精算処理機１００の中心は、他方の第１精算処理機１００の中心からずれている。
【０１４０】
図４１は、第１精算処理機１００の構成の第１１例を示す図である。本図に示す例は、以下の点を除いて、図３１に示した例と同様である。本図に示す例では、いずれの第１精算処理機１００においても、硬貨用精算処理機３１０Ａの中心は、紙幣用精算処理機３２０Ａの中心から同じ方向ずれている。そして本図に示す例では、これらの第１精算処理機１００が水平方向において互いに隣り合っている。各第１精算処理機１００は、例えば図２３に示した第１精算処理機１００である。
【０１４１】
図４２は、第１精算処理機１００の構成の第１２例を示す図である。本図に示す例は、以下の点を除いて、図３１に示した例と同様である。本図に示す例では、一方の第１精算処理機１００の全体が他方の第１精算処理機１００の外側に位置している。なお、水平面に垂直な方向において、一方の第１精算処理機１００の下面は、他方の第１精算処理機１００の上面以下、かつ他方の第１精算処理機１００の下面以上に位置していてもよいし、又は他方の第１精算処理機１００の上面よりも上に位置していてもよい。
【０１４２】
図４３は、第１精算処理機１００の構成の第１３例を示す図である。本図に示す例は、以下の点を除いて、図３１に示した例と同様である。本図に示す例では、一方の第１精算処理機１００において硬貨用精算処理機３１０Ａの全体が紙幣用精算処理機３２０Ａの外側に配置されている。同様にして、他方の第１精算処理機１００においても硬貨用精算処理機３１０Ａの全体が紙幣用精算処理機３２０Ａの外側に配置されている。そして一方の第１精算処理機１００の紙幣用精算処理機３２０Ａ、他方の第１精算処理機１００の紙幣用精算処理機３２０Ａ、一方の第１精算処理機１００の硬貨用精算処理機３１０Ａ、及び他方の第１精算処理機１００の紙幣用精算処理機３２０Ａがこの順で並んでいる。
【０１４３】
本実施形態においては、第２精算処理機２００の構成も、図３１〜図４３に示した例のいずれかにしてもよい。そして第１精算処理機１００の構成と第２精算処理機２００の構成とは、同一であってもよいし、又は互いに異なっていてもよい。第１精算処理機１００の構成と第２精算処理機２００とが同一となる場合、第１精算処理機１００の構成及び第２精算処理機２００の構成は、いずれも、例えば図３１に示した例とする。一方、第１精算処理機１００の構成と第２精算処理機２００の構成とが互いに異なる場合、第１精算処理機１００の構成は例えば図３１に示した例とし、第２精算処理機２００の構成は例えば図４３に示した例とする。
【０１４４】
〔第７の実施形態〕
図４４は、第７の実施形態に係る精算装置１０００に用いられる第１精算処理機１００の構成の詳細の一例を示す図である。本図は、第１精算処理機１００の上方から硬貨用精算処理機３１０Ａ及び紙幣用精算処理機３２０Ａを見た図である。本図に示すように、硬貨用精算処理機３１０Ａと紙幣用精算処理機３２０Ａは、互いに異なる方向を向いていてもよい。硬貨用精算処理機３１０Ａが向いている方向と紙幣用精算処理機３２０Ａが向いている方向との差は本図に示す例に限定されるものではなく、例えば、３０°以上１５０°以下（より具体的には、例えば９０°）にしてもよいし、又は１８０°にしてもよい。
【０１４５】
〔第８の実施形態〕
図４５は、第８の実施形態に係る精算装置１０００に用いられる第１精算処理機１００及び第２精算処理機２００の配置の一例を示す図である。本図は、精算装置１０００の上方から第１精算処理機１００及び第２精算処理機２００を見た図である。本図に示す例では、第１の実施形態と同様にして、第１精算処理機１００が向いている方向と第２精算処理機２００が向いている方向との差は９０°となっている。
【０１４６】
本図に示す例においては、水平面に垂直な方向から見た場合、第１精算処理機１００の硬貨投入口３１１（第１硬貨投入口）（図１）と第２精算処理機２００の硬貨投入口３１１（図１）（第２硬貨投入口）とが互いにずれて配置されるようになる。さらに、第１精算処理機１００の紙幣入出金口３２１（第１紙幣投入口）（図１）と第２精算処理機２００の紙幣入出金口３２１（第２紙幣投入口）（図１）とが互いにずれて配置されるようになる。なお、硬貨投入口３１１には、硬貨及び紙幣の双方が投入可能であってもよい。同様にして、紙幣入出金口３２１には、硬貨及び紙幣の双方が投入可能であってもよい。
【０１４７】
図４６は、図４５の第１の変形例を示す図である。本図に示すように、第１精算処理機１００が向いている方向と第２精算処理機２００が向いている方向との差は１２０°となっていてもよい。本図に示す例においても、水平面に垂直な方向から見た場合、第１精算処理機１００の硬貨投入口３１１（第１硬貨投入口）（図１）と第２精算処理機２００の硬貨投入口３１１（図１）（第２硬貨投入口）とが互いにずれて配置されるようになる。さらに、第１精算処理機１００の紙幣入出金口３２１（第１紙幣投入口）（図１）と第２精算処理機２００の紙幣入出金口３２１（第２紙幣投入口）（図１）とが互いにずれて配置されるようになる。
【０１４８】
図４７は、図４５の第２の変形例を示す図である。本図に示すように、第１精算処理機１００が向いている方向と第２精算処理機２００が向いている方向との差は６０°となっていてもよい。本図に示す例においても、水平面に垂直な方向から見た場合、第１精算処理機１００の硬貨投入口３１１（第１硬貨投入口）（図１）と第２精算処理機２００の硬貨投入口３１１（図１）（第２硬貨投入口）とが互いにずれて配置されるようになる。さらに、第１精算処理機１００の紙幣入出金口３２１（第１紙幣投入口）（図１）と第２精算処理機２００の紙幣入出金口３２１（第２紙幣投入口）（図１）とが互いにずれて配置されるようになる。
【０１４９】
なお、第１精算処理機１００が向いている方向と第２精算処理機２００が向いている方向との差は、図４５〜図４７に示した例に限定されるものではない。例えば、第１精算処理機１００が向いている方向と第２精算処理機２００が向いている方向との差は、３０°以上１５０°以下にしてもよい。さらに、第１精算処理機１００と第２精算処理機２００は、互いに逆側を向いていてもよい。
【０１５０】
〔第９の実施形態〕
図４８は、第９の実施形態に係る精算装置１０００の構成を示す図である。本図は、精算装置１０００の上方から架台５００を見た図である。本図に示す例では、第１の実施形態と同様にして、架台５００は、第１側面５１０、第２側面５２０、第３側面５３０、及び第４側面５４０を有している。より詳細には、水平面に垂直な方向（すなわち、鉛直方向）から見た場合、架台５００の形状は、四角形となっている。第１側面５１０、第２側面５２０、第３側面５３０、及び第４側面５４０は、架台５００の周方向においてこの順で並んでいる。そして第１側面５１０には、第１精算処理機１００が設けられ、第２側面５２０には、第２精算処理機２００が設けられている。
【０１５１】
図４９は、図４８の第１の変形例を示す図である。本図に示す例において、架台５００は、それぞれが互いに異なる方向を向いた３つの側面を有している。より詳細には、水平面に垂直な方向（すなわち、鉛直方向）から見た場合、架台５００の形状は、三角形となっている。そして本図に示す例では、１つの側面に第１精算処理機１００が設けられ、もう一つの側面に第２精算処理機２００が設けられている。
【０１５２】
図５０は、図４８の第２の変形例を示す図である。本図に示す例において、架台５００は、それぞれが互いに異なる方向を向いた６つの側面を有している。より詳細には、水平面に垂直な方向（すなわち、鉛直方向）から見た場合、架台５００の形状は、六角形となっている。そして本図に示す例では、１つの側面に第１精算処理機１００が設けられ、この１つの側面の隣に位置するもう一つの側面に第２精算処理機２００が設けられている。
【０１５３】
図５１は、図４８の第３の変形例を示す図である。本図に示す例では、架台５００は、外側に凸となる方向に湾曲した側面を有している。より詳細には、水平面に垂直な方向（すなわち、鉛直方向）から見た場合、架台５００の形状は、円となっている。そして本図に示す例では、第１精算処理機１００と第２精算処理機２００が互いに異なる方向を向くように、第１精算処理機１００及び第２精算処理機２００は、架台５００の側面に設けられている。
【０１５４】
〔第１０の実施形態〕
図５２は、第１０の実施形態に精算装置１０００に用いられる複数の第１精算処理機１００（第２精算処理機２００）のレイアウトの一例を示す図である。本図は、精算装置１０００の上方から第１精算処理機１００（第２精算処理機２００）を見た図である。本図に示すように、精算装置１０００は、互いに異なる方向を向いた３つの第１精算処理機１００（第２精算処理機２００）を備えていてもよい。本図に示す例では、３つのユーザインターフェース部３００が円周方向において等間隔に配置されている。なお、精算装置１０００は、４つ以上の第１精算処理機１００（第２精算処理機２００）を備えていてもよい。
【０１５５】
〔第１１の実施形態〕
図５３は、第１１の実施形態に係る精算装置１０００に用いられる第１精算処理機１００及び第２精算処理機２００のレイアウトの第１例を示す図である。本図（ａ）は、精算装置１０００の上方から第１精算処理機１００及び第２精算処理機２００を見た図である。本図（ｂ）は、本図（ａ）のＡ−Ａ´断面図である。
【０１５６】
本図に示す例において、硬貨用精算処理機３１０Ａは制御部３４２Ａを備え、紙幣用精算処理機３２０Ａは制御部３４４Ａを備える。制御部３４２Ａは、硬貨用精算処理機３１０Ａによる精算処理を制御しており、例えば、硬貨投入口３１１（図１）に投入された硬貨を算出し、さらに、硬貨出金口３１３（図１）から出金される硬貨の量を制御している。同様にして、制御部３４４Ａは、紙幣用精算処理機３２０Ａによる精算処理を制御しており、例えば、紙幣入出金口３２１（図１）に入金された紙幣を算出し、さらに、紙幣入出金口３２１（図１）から出金される紙幣の量を制御している。
【０１５７】
硬貨用精算処理機３１０Ｂは制御部３４２Ｂを備え、紙幣用精算処理機３２０Ｂは制御部３４４Ｂを備える。制御部３４２Ｂは、制御部３４２Ａと同様にして、硬貨用精算処理機３１０Ｂによる精算処理を制御している。制御部３４４Ｂは、制御部３４４Ａと同様にして、紙幣用精算処理機３２０Ｂによる精算処理を制御している。
【０１５８】
本図に示す例では、第１精算処理機１００では、硬貨用精算処理機３１０Ａ及び紙幣用精算処理機３２０Ａが水平方向に互いに隣り合っており、第２精算処理機２００では、硬貨用精算処理機３１０Ｂ及び紙幣用精算処理機３２０Ｂが水平方向に互いに隣り合っている。第１精算処理機１００は、第２精算処理機２００よりも上側に位置している。そして第１精算処理機１００と第２精算処理機２００は、互いに異なる方向を向いている。
【０１５９】
本図に示す例では、水平方向に垂直な方向（すなわち、鉛直方向）から見た場合、制御部３４２Ａの少なくとも一部が制御部３４２Ｂ及び制御部３４４Ｂの少なくとも一方の少なくとも一部と重なるようになっている。さらに、制御部３４４Ａの少なくとも一部が制御部３４２Ｂ及び制御部３４４Ｂの少なくとも一方の少なくとも一部と重なるようになっている。
【０１６０】
図５４は、第１精算処理機１００及び第２精算処理機２００のレイアウトの第２例を示す図である。本図に示す例では、第１精算処理機１００において、硬貨用精算処理機３１０Ａが紙幣用精算処理機３２０Ａの上面上に搭載されており、第２精算処理機２００において、硬貨用精算処理機３１０Ｂが紙幣用精算処理機３２０Ｂの上面上に搭載されている。
【０１６１】
本図に示す例では、水平方向に垂直な方向（すなわち、鉛直方向）から見た場合、制御部３４２Ａの少なくとも一部が制御部３４２Ｂ及び制御部３４４Ｂの少なくとも一方の少なくとも一部と重なるようになっている。さらに、制御部３４４Ａの少なくとも一部が制御部３４２Ｂ及び制御部３４４Ｂの少なくとも一方の少なくとも一部と重なるようになっている。
【０１６２】
〔第１２の実施形態〕
図５５は、第１２の実施形態に係る第１精算処理機１００の構成の第１例を示す図である。本図は、ユーザインターフェース部３００（図１）の前方から第１精算処理機１００を見た図である。本図に示す例において、第１精算処理機１００は、硬貨用精算処理機３１０Ａ、紙幣用精算処理機３２０Ａ、第１カード精算用処理部３３０Ａ、及び第１レシート印刷機８００Ａを備える。硬貨用精算処理機３１０Ａと紙幣用精算処理機３２０Ａは、水平方向において互いに隣り合っている。本図に示すように、第１カード精算用処理部３３０Ａは、紙幣用精算処理機３２０Ａ（又は硬貨用精算処理機３１０Ａ）の上方に設けてもよい。さらに、第１レシート印刷機８００Ａは、紙幣用精算処理機３２０Ａ（又は硬貨用精算処理機３１０Ａ）の側方に設けてもよい。
【０１６３】
図５６は、第１精算処理機１００の構成の第２例を示す図である。本図に示す例では、紙幣用精算処理機３２０Ａの上面上に硬貨用精算処理機３１０Ａが搭載されている。本図に示すように、第１カード精算用処理部３３０Ａは、硬貨用精算処理機３１０Ａの上方に設けられていてもよい。第１レシート印刷機８００Ａは、紙幣用精算処理機３２０Ａの側方に設けられていてもよい。
【０１６４】
本実施形態においては、第２精算処理機２００の構成も、図５５〜図５６に示した例のいずれかにしてもよい。
【０１６５】
〔第１３の実施形態〕
図５７は、第１３の実施形態に係る精算装置１０００の斜視図であり、第１の実施形態の図１に対応する。本実施形態に係る精算装置１０００は、以下の点を除いて、第１の実施形態に係る精算装置１０００と同様の構成である。
【０１６６】
本図に示す例では、第１精算処理機１００及び第２精算処理機２００は、架台５００と一体として形成されている。言い換えると、第１精算処理機１００及び第２精算処理機２００は、架台５００から取り外すことができない。より詳細には、架台５００には、挿入穴５１１（例えば、図８）及び挿入穴５２１（例えば、図８）が形成されていない。そして第１精算処理機１００及び第２精算処理機２００は、架台５００の一部となっている。
【０１６７】
なお、第１精算処理機１００及び第２精算処理機２００の一方のみが架台５００と一体として形成されていてもよい。この場合、第１精算処理機１００及び第２精算処理機２００の他方が第１の実施形態と同様にして、架台５００に対して着脱可能となっている。
【０１６８】
〔第１４の実施形態〕
図５８は、第１４の実施形態に係る精算装置１０００に用いられる第１精算処理機１００及び第２精算処理機２００のレイアウトを示す図である。本図（ａ）は、ユーザインターフェース部３００Ａの前方から第１精算処理機１００及び第２精算処理機２００を見た図である。本図（ｂ）は、精算装置１０００の上方から第１精算処理機１００及び第２精算処理機２００を見た図である。なお、第１４の実施形態および図５８は、精算装置１０００を構成する第１精算処理機１００及び第２精算処理機２００の組合せの具体例の一例である。
【０１６９】
本図に示す例において、第１精算処理機１００では、紙幣用精算処理機３２０Ａの上面上に硬貨用精算処理機３１０Ａが搭載されている。第２精算処理機２００でも、第１精算処理機１００と同様にして、紙幣用精算処理機３２０Ｂの上面上に硬貨用精算処理機３１０Ｂが搭載されている。
【０１７０】
第２精算処理機２００は、第１精算処理機１００よりも上に位置している。そして水平面に垂直な方向（すなわち、鉛直方向）から見た場合、第１精算処理機１００と第２精算処理機２００とは互いに異なる方向を向いている。具体的には本図に示す例では、第１精算処理機１００の向いている方向と第２精算処理機２００の向いている方向との差は９０°となっている。ただし、この差は９０°に限定されるものではなく、例えば３０°以上１５０°以下であってもよい。さらに、第１精算処理機１００と第２精算処理機２００とは、互いに逆側を向いていてもよい。
【０１７１】
水平面に垂直な方向（すなわち、鉛直方向）から見た場合、第１精算処理機１００の形状及び第２精算処理機２００の形状は、いずれも矩形である。本図に示す例においては、第１精算処理機１００（矩形）の辺の一部と第２精算処理機１００（矩形）の辺の一部とが揃っている。なお、図５８（ｂ）では、第１精算処理機１００の形状および第２精算処理機２００の形状は長方形となっているが、図６３（ａ）（ｂ）に示されるように正方形であっても良い。
【０１７２】
図５９は、図５８の第１の変形例を示す図である。本図に示す例は、第１精算処理機１００において硬貨用精算処理機３１０Ａの位置と紙幣用精算処理機３２０Ａの位置とが逆である点、及び第２精算処理機２００において硬貨用精算処理機３１０Ｂの位置と紙幣用精算処理機３２０Ｂの位置とが逆である点を除いて、図５８に示した例と同様である。具体的には、本図に示す例では、第１精算処理機１００において、硬貨用精算処理機３１０Ａの上面上に紙幣用精算処理機３２０Ａが搭載されている。第２精算処理機２００でも、第１精算処理機１００と同様にして、硬貨用精算処理機３１０Ｂの上面上に紙幣用精算処理機３２０Ｂが搭載されている。
【０１７３】
図６０は、図５８の第２の変形例を示す図である。本図に示す例では、第１精算処理機１００において硬貨用精算処理機３１０Ａと紙幣用精算処理機３２０Ａとが下から上に向かって並ぶ順序と第２精算処理機２００において硬貨用精算処理機３１０Ｂと紙幣用精算処理機３２０Ｂとが下から上に向かって並ぶ順序とが逆である点を除いて、図５８に示した例と同様である。具体的には、本図に示す例では、第１精算処理機１００において、硬貨用精算処理機３１０Ａの上面上に紙幣用精算処理機３２０Ａが搭載されている。これに対して、第２精算処理機２００では、紙幣用精算処理機３２０Ｂの上面上に硬貨用精算処理機３１０Ｂが搭載されている。
【０１７４】
図６１は、図５８の第３の変形例を示す図である。本図に示す例では、第１精算処理機１００において硬貨用精算処理機３１０Ａと紙幣用精算処理機３２０Ａとが下から上に向かって並ぶ順序と第２精算処理機２００において硬貨用精算処理機３１０Ｂと紙幣用精算処理機３２０Ｂとが下から上に向かって並ぶ順序とが逆である点を除いて、図５８に示した例と同様である。具体的には、本図に示す例では、第１精算処理機１００において、紙幣用精算処理機３２０Ａの上面上に硬貨用精算処理機３１０Ａが搭載されている。これに対して、第２精算処理機２００では、硬貨用精算処理機３１０Ｂの上面上に紙幣用精算処理機３２０Ｂが搭載されている。
【０１７５】
図６２は、図５８の第４の変形例を示す図である。本図に示す例においても、水平面に垂直な方向（すなわち、鉛直方向）から見た場合、第１精算処理機１００の形状及び第２精算処理機２００の形状は、いずれも矩形である。そして本図に示す例では、第１精算処理機１００（矩形）の辺と第２精算処理機１００（矩形）の辺とは、いずれの領域においても揃っていない。
【０１７６】
以上、図面を参照して本発明の実施形態について述べたが、これらは本発明の例示であり、上記以外の様々な構成を採用することもできる。
以下、参考形態の例を付記する。
１．  第１硬貨用精算処理機及び第１紙幣用精算処理機を備えた第１精算処理機と、
第２硬貨用精算処理機及び第２紙幣用精算処理機を備えた第２精算処理機と、
を備え、
前記第１精算処理機及び前記第２精算処理機の設置面に垂直な方向から見た場合、前記第１精算処理機及び前記第２精算処理機の少なくとも一部が重なっている精算装置。
２．  １．に記載の精算装置において、
前記第１精算処理機及び前記第２精算処理機は、前記第１精算処理機及び前記第２精算処理機の設置面に垂直な方向から見た場合、ずれて配置されている精算装置。
３．  １．又は２．に記載の精算装置において、
前記第１精算処理機及び前記第２精算処理機の設置面に垂直な方向から見た場合、前記第１精算処理機及び前記第２精算処理機の一方の全体は、他方と重なっている精算装置。
４．  １．に記載の精算装置において、
前記第１精算処理機及び前記第２精算処理機が搭載された架台は、前記第１精算処理機及び前記第２精算処理機の設置面に垂直な方向から見た場合に互いに異なる方向を向いている第１面及び第２面を有し、
前記第１精算処理機は、前記第１面に設けられており、
前記第２精算処理機は、前記第２面に設けられている精算装置。
５．  １．に記載の精算装置において、
前記第１精算処理機及び前記第２精算処理機が取り付けられた架台は、前記第１精算処理機及び前記第２精算処理機の設置面に垂直な方向から見た場合に湾曲している第１面を有し、
前記第１精算処理機は、前記第１面に設けられており、
前記第２精算処理機は、前記第１面のうち前記第１精算処理機が設けられている領域とは異なる領域に設けられている精算装置。
６．  １．〜５．のいずれか一つに記載の精算装置において、
前記第１精算処理機及び前記第２精算処理機の設置面に垂直な方向から見た場合、前記第１硬貨用精算処理機及び前記第１紙幣用精算処理機の一方の少なくとも一部は、他方と少なくとも一部が重なっている精算装置。
７．  １．〜５．のいずれか一つに記載の精算装置において、
前記第１精算処理機及び前記第２精算処理機の設置面に垂直な方向において、前記第１硬貨用精算処理機及び前記第１紙幣用精算処理機の一方の下面は、他方の上面以下かつ前記他方の下面以上に位置する精算装置。
８．  ７．に記載の精算装置において、
前記第１硬貨用精算処理機及び前記第１紙幣用精算処理機の一方の上面と前記他方の上面とは、互いに揃っており、
前記第１硬貨用精算処理機及び前記第１紙幣用精算処理機の前記一方の下面と前記他方の下面とは、互いに揃っている精算装置。
９．  １．〜５．のいずれか一つに記載の精算装置において、
前記第１精算処理機及び前記第２精算処理機の設置面に垂直な方向から見た場合、前記第１硬貨用精算処理機及び前記第１紙幣用精算処理機の一方は、いずれの部分も他方と重なっておらず、
前記第１精算処理機及び前記第２精算処理機の設置面に垂直な方向において、前記第１硬貨用精算処理機及び前記第１紙幣用精算処理機の前記一方の下面は、前記他方の上面より上に位置する精算装置。
１０．  １．〜５．のいずれか一つに記載の精算装置において、
前記第１硬貨用精算処理機と前記第１紙幣用精算処理機とは、互いに異なる方向を向いている精算装置。
１１．  １．に記載の精算装置において、
前記第１精算処理機は、硬貨が投入可能である第１硬貨投入口を有し、
前記第２精算処理機は、前記硬貨が投入可能である第２硬貨投入口を有し、
前記第１精算処理機及び前記第２精算処理機の設置面に垂直な方向から見た場合、前記第１硬貨投入口と前記第２硬貨投入口とは互いにずれて配置されている精算装置。
１２．  １．に記載の精算装置において、
前記第１精算処理機は、紙幣が投入可能である第１紙幣投入口を有し、
前記第２精算処理機は、前記紙幣が投入可能である第２紙幣投入口を有し、
前記第１精算処理機及び前記第２精算処理機の設置面に垂直な方向から見た場合、前記第１紙幣投入口と前記第２紙幣投入口とは互いにずれて配置されている精算装置。
１３．  １．に記載の精算装置において、
前記第１精算処理機は、硬貨及び紙幣の双方が投入可能である第１貨幣投入口を有し、
前記第２精算処理機は、前記硬貨及び前記紙幣の双方が投入可能である第２貨幣投入口を有し、
前記第１精算処理機及び前記第２精算処理機の設置面に垂直な方向から見た場合、前記第１貨幣投入口と前記第２貨幣投入口とは互いにずれて配置されている精算装置。
【符号の説明】
【０１７７】
１０ 店員
２０ 店員
３０ 購買者
１００ 第１精算処理機
１１０ 側面
２００ 第２精算処理機
２１０ 側面
３００ ユーザインターフェース部
３００Ａ 第１ユーザインターフェース部
３００Ｂ 第２ユーザインターフェース部
３１０Ａ 硬貨用精算処理機
３１０Ｂ 硬貨用精算処理機
３１１ 硬貨投入口
３１２ 硬貨リジェクト口
３１３ 硬貨出金口
３２０Ａ 紙幣用精算処理機
３２０Ｂ 紙幣用精算処理機
３２１ 紙幣入出金口
３３０Ａ 第１カード精算用処理部
３３０Ｂ 第２カード精算用処理部
３３１ カード挿入口
３３２ 入力操作部
４００ 目隠し板
５００ 架台
５１０ 第１側面
５１１ 挿入穴
５１２ 挿入穴用蓋部
５１５ 第１上側側面
５２０ 第２側面
５２１ 挿入穴
５２２ 挿入穴用蓋部
５２５ 第２上側側面
５３０ 第３側面
５３１ 第１開口（挿入穴）
５３２ 第１蓋部（挿入穴用蓋部）
５４０ 第４側面
５４１ 第２開口（挿入穴）
５４２ 第２蓋部（挿入穴用蓋部）
５５０ 上面
５５１ 高段部
５５２ 低段部
５５５ スリット
５６０ 面取り面
５７０ 側面
５８０ 側面
６００Ａ 第１荷置台
６００Ｂ 第２荷置台
７００Ａ 第１ディスプレイ
７００Ｂ 第２ディスプレイ
８００Ａ 第１レシート印刷機
８００Ｂ 第２レシート印刷機
９００Ａ 第１呼出ランプ部
９００Ｂ 第２呼出ランプ部
１０００ 精算装置
１１００Ａ 領域
１１００Ｂ 領域
３０００ 商品登録台
３１００ 商品登録装置
３２００ サッカー台
【図１】
0006693087.tif 000002
【図２】
0006693087.tif 000003
【図３】
0006693087.tif 000004
【図４】
0006693087.tif 000005
【図５】
0006693087.tif 000006
【図６】
0006693087.tif 000007
【図７】
0006693087.tif 000008
【図８】
0006693087.tif 000009
【図９】
0006693087.tif 000010
【図１０】
0006693087.tif 000011
【図１１】
0006693087.tif 000012
【図１２】
0006693087.tif 000013
【図１３】
0006693087.tif 000014
【図１４】
0006693087.tif 000015
【図１５】
0006693087.tif 000016
【図１６】
0006693087.tif 000017
【図１７】
0006693087.tif 000018
【図１８】
0006693087.tif 000019
【図１９】
0006693087.tif 000020
【図２０】
0006693087.tif 000021
【図２１】
0006693087.tif 000022
【図２２】
0006693087.tif 000023
【図２３】
0006693087.tif 000024
【図２４】
0006693087.tif 000025
【図２５】
0006693087.tif 000026
【図２６】
0006693087.tif 000027
【図２７】
0006693087.tif 000028
【図２８】
0006693087.tif 000029
【図２９】
0006693087.tif 000030
【図３０】
0006693087.tif 000031
【図３１】
0006693087.tif 000032
【図３２】
0006693087.tif 000033
【図３３】
0006693087.tif 000034
【図３４】
0006693087.tif 000035
【図３５】
0006693087.tif 000036
【図３６】
0006693087.tif 000037
【図３７】
0006693087.tif 000038
【図３８】
0006693087.tif 000039
【図３９】
0006693087.tif 000040
【図４０】
0006693087.tif 000041
【図４１】
0006693087.tif 000042
【図４２】
0006693087.tif 000043
【図４３】
0006693087.tif 000044
【図４４】
0006693087.tif 000045
【図４５】
0006693087.tif 000046
【図４６】
0006693087.tif 000047
【図４７】
0006693087.tif 000048
【図４８】
0006693087.tif 000049
【図４９】
0006693087.tif 000050
【図５０】
0006693087.tif 000051
【図５１】
0006693087.tif 000052
【図５２】
0006693087.tif 000053
【図５３】
0006693087.tif 000054
【図５４】
0006693087.tif 000055
【図５５】
0006693087.tif 000056
【図５６】
0006693087.tif 000057
【図５７】
0006693087.tif 000058
【図５８】
0006693087.tif 000059
【図５９】
0006693087.tif 000060
【図６０】
0006693087.tif 000061
【図６１】
0006693087.tif 000062
【図６２】
0006693087.tif 000063
【図６３】
0006693087.tif 000064